(57)【特許請求の範囲】
【請求項１】
第１拠点と第２拠点間でのコミュニケーションを誘発するコミュニケーションシステムであって、
前記第１拠点に存在する映像表示部と、
前記第２拠点内の状況を撮像する撮像装置と、を有し、
前記映像表示部は、複数の面状部材によって構成され、前記第１拠点の通路に隣接する壁面に沿って前記複数の面状部材を内側に向けて組み合わせることにより角部をなし、前記撮像装置が撮像した前記第２拠点内の状況の映像を前記複数の面状部材に一連の横長の映像として表示し、
前記角部の空間は、前記角部の開口側に向けて前記第２拠点内の状況の映像を発信するコミュニケーションの空間をなすことを特徴とするコミュニケーションシステム。
【請求項２】
前記映像表示部は、その下端が前記第１拠点の床面に対して近接又は当接され、前記映像表示部の下端側には、前記撮像装置により撮像された前記第２拠点の映像のうち、前記第２拠点の床面の映像が表示されることを特徴とする請求項１に記載のコミュニケーションシステム。
【請求項３】
前記撮像装置は、少なくとも第２拠点の天井の一部を含む所定空間を撮像して映像を出力し、
前記映像表示部の上端は、前記第１拠点の天井に対して近接又は当接しており、
前記映像表示部の上端側には、前記撮像装置により撮像された前記第２拠点の映像のうち、前記第２拠点の天井の映像が表示されることを特徴とする請求項１又は請求項２に記載のコミュニケーションシステム。
【請求項４】
前記映像表示部は、前記映像表示部の上端と第１拠点の天井との間に、第１拠点の壁面が前記映像表示部に向かって立つ視覚者の視界に入らない高さに設定されることを特徴とする請求項１乃至請求項３のいずれか１に記載のコミュニケーションシステム。
【請求項５】
前記映像表示部は、前記映像表示部に表示される映像を視覚する視覚者の視野角をカバーする構成であることを特徴とする請求項１乃至請求項４のいずれか１に記載のコミュニケーションシステム。
【請求項６】
前記第１拠点の音を集音し前記第２拠点の音を出力する音響機器と前記第２拠点の音を集音し前記第１拠点の音を出力する音響機器のうち少なくとも一方を備えていることを特徴とする請求項１乃至請求項５のいずれか１に記載のコミュニケーションシステム。
【請求項７】
前記撮像装置は、前記第２拠点内の状況を逐次撮像するものであり、
前記映像表示部は、前記撮像装置が撮像した前記映像が表示されることにより前記第２拠点内の状況を映像の情報として逐次発信するものであることを特徴とする請求項１乃至請求項６のいずれか１に記載のコミュニケーションシステム。
【請求項８】
前記第１拠点内及び第２拠点内に、前記映像表示部がそれぞれ存在し、前記撮像装置がそれぞれ設置されていることを特徴とする請求項１乃至請求項７のいずれか１に記載のコミュニケーションシステム。
【請求項９】
第１拠点と第２拠点間でのコミュニケーションを誘発するコミュニケーション方法であって、
前記第１拠点の映像表示部を複数の面状部材によって構成し、前記第１拠点の通路に隣接する壁面に沿って前記複数の面状部材を内側に向けて組み合わせることにより角部をなし、
前記第２拠点の撮像装置が撮像する前記第２拠点内の状況の映像を前記複数の面状部材に一連の横長の映像として表示し、
前記角部の開口側に向けて前記第２拠点内の状況の映像を発信して、前記角部の空間をコミュニケーションの空間とすることを特徴とするコミュニケーション方法。
【発明の詳細な説明】
【技術分野】
【０００１】
本発明は、拠点の角部を有効活用してコミュニケーションを誘発させるコミュニケーションシステム及びコミュニケーション方法に関する。
【背景技術】
【０００２】
従来、異なる拠点にいる相手とのＦａｃｅ  ｔｏ  Ｆａｃｅのコミュニケーションを図る手段として、テレビ会議システム等が提供されている。
しかし、Ｆａｃｅ  ｔｏ  Ｆａｃｅのコミュニケーションを実現したのみでは、同じ空間内にいるからこそわかる相手の表情や部屋の様子が臨場感をもって見ることが出来ず、円滑なコミュニケーションを図ることができない。
そこで、Ｆａｃｅ  ｔｏ  Ｆａｃｅのコミュニケーションを実現するとともに、同じ空間にいるような臨場感を得る手段として、発明者らは特許文献１に示す映像システムを提案している。
【先行技術文献】
【特許文献】
【０００３】
【特許文献１】特願２０１４−２０１３２３
【発明の概要】
【発明が解決しようとする課題】
【０００４】
オフィス等の拠点には、そのコーナー等の角部が存在する場合があり、その角部が什器等を収納する収納スペースとして利用されている場合には前記角部が有効利用されるため、特に問題が生じることがない。しかし、前記角部は前記のように収納スペース等として利用されることなく、前記角部内の空間がデッドスペースとして放置されている場合が往々にしてある。
前記特許文献１に示す映像システムを用いて前記デッドスペースを有効利用するには、前記デッドスペースを有効利用するための工夫が必要となる。
【０００５】
そこで本発明の目的は、拠点の角部を通して異なる空間にいる相手とあたかも同じ空間にいるような臨場感でＦａｃｅ  ｔｏ  Ｆａｃｅのコミュニケーションを実現することによって、拠点の角部をコミュニケーションの場として有効活用を図ることが出来る、コミュニケーションシステム及びコミュニケーション方法を提供することにある。
【課題を解決するための手段】
【０００６】
上記目的達成のため、本発明に係るコミュニケーションシステムは、第１拠点と第２拠点間でのコミュニケーションを誘発するコミュニケーションシステムであって、前記第１拠点に存在する映像表示部と、前記第２拠点内の状況を撮像する撮像装置と、を有し、前記映像表示部は、前記撮像装置が撮像した前記第２拠点内の状況の映像を表示するために複数の面状部材に構成され、前記第１拠点の通路に隣接する壁面に沿って前記複数の面状部材を内側に向けて組み合わせることにより角部をなし、前記撮像装置が撮像した前記第２拠点内の状況の映像を前記複数の面状部材に一連の横長の映像として表示し、前記角部の空間は、前記角部の開口側に向けて前記第２拠点内の状況の映像を発信するコミュニケーションの空間をなすことを特徴とする。
【０００９】
前記映像表示部は、その下端が前記第１拠点の床面に対して近接又は当接され、前記映像表示部の下端側には、前記撮像装置により撮像された前記第２拠点の映像のうち、前記第２拠点の床面の映像が表示されることを特徴とする。
【００１０】
前記撮像装置は、少なくとも第２拠点の天井の一部を含む所定空間を撮像して映像を出力し、前記映像表示部の上端は、前記第１拠点の天井に対して近接又は当接しており、前記映像表示部の上端側には、前記撮像装置により撮像された前記第２拠点の映像のうち、前記第２拠点の天井の映像が表示されることを特徴とする。
【００１１】
前記映像表示部は、前記映像表示部の上端と第１拠点の天井との間に、第１拠点の壁面が前記映像表示部に向かって立つ視覚者の視界に入らない高さに設定されることを特徴とする請求項１乃至請求項５のいずれか１に記載のコミュニケーションシステム。
【００１２】
前記映像表示部は、前記映像表示部に表示される映像を視覚する視覚者の視野角をカバーする構成であることを特徴とする。
【００１３】
前記第１拠点の音を集音し前記第２拠点の音を出力する音響機器と前記第２拠点の音を集音し前記第１拠点の音を出力する音響機器のうち少なくとも一方を備えていることを特徴とする。
【００１４】
前記撮像装置は、前記第２拠点内の状況を逐次撮像するものであり、前記映像表示部は、前記撮像装置が撮像した前記映像が表示されることにより前記第２拠点内の状況を映像の情報として逐次発信するものであることを特徴とする。
【００１５】
前記第１拠点内及び前記第２拠点内に、前記映像表示部がそれぞれ存在し、前記撮像装置がそれぞれ設置されていることを特徴とする。
【００１６】
第１拠点と第２拠点間でのコミュニケーションを誘発するコミュニケーション方法であって、前記第１拠点の映像表示部を複数の面状部材によって構成し、前記第１拠点の通路に隣接する壁面に沿って前記複数の面状部材を内側に向けて組み合わせることにより角部をなし、前記第２拠点の撮像装置が撮像する前記第２拠点内の状況の映像を前記複数の面状部材に一連の横長の映像として表示し、前記角部の開口側に向けて前記第２拠点内の状況の映像を発信して、前記角部の空間をコミュニケーションの空間とすることを特徴とする。
【００１９】
以上のように本発明によれば、第１拠点と第２拠点間のうち前記第１拠点に存在する映像表示部と、前記第２拠点内の状況を撮像する撮像装置と、を有し、前記映像表示部は、前記撮像装置が撮像した前記第２拠点内の状況の映像を表示するために複数の面状部材に構成され、前記複数の面状部材を組み合わせることにより角部をなすことによって、活用されていなかった前記角部に前記第２拠点内の状況が映写されることにより、前記角部を通して別空間が広がり、遠くにいる人でも距離を越えてすぐ隣にいるかのような感覚を生み出し、前記角部をコミュニケーションの場として有効活用することができる。そして、コミュニケーションの場となった前記角部では、異なる拠点間でのコミュニケーションが誘発され、異なる拠点間のコミュニケーションを活性化することができ、新たなアイデアの誘発やイノベーションなど知的創造を促進することができる、という効果を奏する。
【図面の簡単な説明】
【００２０】
【図１】本発明に係るコミュニケーションシステムの構成を示す斜視図である。
【図２】本発明に係るコミュニケーションシステムを用いてコミュニケーションを誘発する状態を説明する図である。
【図３】本発明に係るコミュニケーションシステムを用いてコミュニケーションを誘発する別の状態を説明する図である。
【図４】本発明に係るコミュニケーションシステムを第１拠点、第２拠点にそれぞれ設けた場合の構成を示す図である。
【図５】本発明に係るコミュニケーションシステムの外観を示す斜視図である。
【図６】本発明に係るコミュニケーションシステムにおける表示装置及び映像表示部の配置を示す図であり、（ａ）は前記配置を平面から見た模式図、（ｂ）は前記配置を側面から見た模式図である。
【図７】本発明に係るコミュニケーションシステムにおける映像表示部が構成される面状部材の、第１拠点の床面及び天井との近接又は当接の関係を示す模式図である。
【図８】本発明に係るコミュニケーションシステムにおける映像表示部が構成される面状部材の配置を示す図であり、（ａ）は第１拠点における配置を示す図、（ｂ）は第２拠点における配置を示す図である。
【図９】本発明に係るコミュニケーションシステムにおける撮像装置の配置を示す図であり、（ａ）は前記配置を平面から見た模式図、（ｂ）は前記配置を側面から見た模式図である。
【図１０】本発明に係るコミュニケーションシステムのブロック図である。
【図１１】本発明に係るコミュニケーションシステムにおけるデータの流れを示す図であり、（ａ）は第１拠点から第２拠点へのデータ送受信を示す図、（ｂ）は第２拠点から第１拠点へのデータ送受信を示す図である。
【図１２】本発明に係るコミュニケーションシステムの撮像装置の撮像方向の変形例を示す図である。
【図１３】第２実施形態に係るコミュニケーションシステムの構成を示す斜視図である。
【図１４】第２実施形態に係るコミュニケーションシステムを第１拠点、第２拠点にそれぞれ設けた場合の構成を示す図である。
【図１５】第２実施形態に係るコミュニケーションシステムの外観を示す斜視図である。
【図１６】第２実施形態に係るコミュニケーションシステムの分解斜視図である。
【図１７】第２実施形態に係るコミュニケーションシステムが配置される動線を第１拠点Ａ、第２拠点Ｂに示す図である。
【図１８】第２実施形態に係るコミュニケーションシステムが配置される動線を第１拠点Ａ、第２拠点Ｂに示す図である。
【図１９】第２実施形態に係るコミュニケーションシステムの軸組構造の変形例を示す平面からみた模式図である。
【発明を実施するための形態】
【００２１】
以下、本発明の実施形態を図に基づいて詳細に説明する。
先ず、本発明の実施形態に係るコミュニケーションシステムの基本構成について説明する。図１には異なる拠点をなす第１拠点Ａ及び第２拠点Ｂのうち第１拠点内のレイアウトを示してある。図１に示すように、第１拠点Ａがオフィスの場合には、そのオフィス（拠点Ａ）内がパネル２、３、４、５により部署６ａ、６ｂ、６ｃ、６ｄを単位として間仕切りされ、それらの部署６ａ、６ｂ、６ｃ、６ｄのスペース内には机７と椅子８とのセットが複数設置されている。部署６ａ、６ｂ、６ｃ、６ｄはパネル２、３、４、５で間仕切りされており、各部署にはそれぞれ角部ＳＡが存在している。その場合、第１拠点の建物の内壁によって形成される角部ＳＡ以外に、第１拠点内の空間の中央部においても、パーティションや間仕切りによって角部ＳＡが形成されている場合がある。
また、角部ＳＡとは、面状部材を組み合わせることによって構成される空間領域であって、前記空間領域内にいる人Ｎが、面状部材からなる映像表示部１５Ａを通して第２拠点Ｂ内の状況の映像を視覚し、前記映像の情報を受信することができる空間領域をいう。
【００２２】
図１に示すオフィスのレイアウトの場合、パネル４、５の高さは什器９の高さに相当する等の理由によりパネル４、５に沿う空間は什器９を収納する収納スペースとして利用されている。一方、パネル２とパネル３は間仕切りのためにのみ使用されている。
【００２３】
本発明の実施形態では図１に示すパネル２、３は間仕切りのためにのみ使用されており、パネル２及びパネル３からなる空間は、有効に活用されていないことに着目して、パネル２、３からなる角部ＳＡを中心として映像表示部１５Ａと撮像装置１０Ａとを配置してコミュニケーションシステムを構築したものである。
【００２４】
以下に、本発明の第１実施形態に係るコミュニケーションシステム１について説明する。本発明の第１実施形態に係るコミュニケーションシステム１は図１に示すように、パネル２、３を映像表示部１５Ａとして用いている。図１に示す映像表示部１５Ａとして用いられるパネル２、３のパネル面２Ａ、３Ａはスクリーンであり、そのスクリーンであるパネル２、３のパネル面２Ａ、３Ａに表示装置１４Ａからの映像が表示される。映像表示の際、パネル２、３のパネル面２Ａ、３Ａが映像表示部１５Ａの表示面（２Ａ、３Ａ）として機能する。パネル２、３は、床面ＦＡから天井に向けて立ち上げて配置された表示媒体としての面状部材であり、映像表示部１５Ａが面状部材（表示媒体）としてのパネル２、３に構成される。
【００２５】
図１では、面状部材（表示媒体）としてパネル２、３を用いているが、これに限られるものではない。パネル２、３以外には建物の内壁のように表示装置１４Ａからの映像がその内壁面に表示されるものを面状部材として用いてよい。その建物の内壁面が映像表示部１５Ａとなり、その建物の内壁が面状部材であり、建物の内壁を面状部材として用いた場合であっても、映像表示部１５Ａは面状部材（表示媒体）に構成される。パネル２、３や建物の内壁面をスクリーンとして用いる場合、それらの面の全面をスクリーンとして用いる場合に限られるものではなく、それらの面の一部をスクリーンとして用いてもよい。
【００２６】
さらに、図１に示す映像表示部１５Ａは、表示装置１４Ａからの映像が映写されて表示面（２Ａ、３Ａ）に映像が表示される構成であるが、これに限られるものではない。
前記スクリーンに代えて液晶デジタルディスプレイ等のデジタル型ディスプレイを用いてもよく、この場合、デジタル型ディスプレイが表示媒体としての面状部材をなし、映像表示部１５Ａがデジタル型ディスプレイからなる面状部材（表示媒体）に構成されることになる。
また、前記デジタル型ディスプレイが前記パネルや前記建物の内壁面などの前面に配置された場合であってもよく、前記パネルや前記建物の内壁面等の前面の前記デジタル型ディスプレイが面状部材をなし、その面状部材に映像表示部１５Ａが構成される。
したがって、面状部材からなる映像表示部１５Ａは、表示装置１４Ａからの映像が表示面（２Ａ、３Ａ）に表示される構成、或いは表示面（２Ａ、３Ａ）が自己発光して映像が表示される構成のいずれであってもよい。
【００２７】
さらに、図１に示す例では、映像表示部１５Ａは、表示面（２Ａ）を含む面状部材の第１映像表示部１５Ａ１と、表示面（３Ａ）を含む面状部材の第２映像表示部１５Ａ２を組み合わせることにより構成されている。そして、第１映像表示部１５Ａ１と第２映像表示部１５Ａ２とを備えているため、これらの映像表示部１５Ａに映像を表示させるための表示装置１４Ａとして第１表示装置１４Ａ１と第２表示装置１４Ａ２とを備えている。
【００２８】
次に、映像表示部１５Ａの表示面２Ａ、３Ａに表示される映像について説明する。図１のオフィスを第１拠点Ａとすると、図４に示すオフィスが第２拠点Ｂとなる。図４に示す第２拠点Ｂには撮像装置１０Ｂが設置されている。撮像装置１０Ｂは２つの撮像装置１０Ｂ１、１０Ｂ２を備えており、これらの撮像装置１０Ｂ１、１０Ｂ２で第２拠点Ｂ内の状況を撮像し、その映像を図１１に示す通信ネットワーク２０により第１拠点Ａの表示装置１４Ａに送信する。図１では、第１拠点Ａに設置した一方の表示装置１４Ａ１が対応する映像表示部１５Ａ１の表示面（２Ａ）に表示させ、第１拠点Ａに設置した他方の表示装置１４Ａ２が対応する映像表示部１５Ａ２の表示面（３Ａ）に表示させる。すなわち、第１拠点Ａの映像表示部１５Ａには第２拠点Ｂの撮像装置１０Ｂが撮像した第２拠点Ｂ内の状況を撮像した映像が表示されることになる。図４に示す例では、撮像装置１０Ｂとして２つの撮像装置１０Ｂ１、１０Ｂ２を設置したが、１つの撮像装置により第２拠点Ｂ内の状況を撮像して第１拠点Ａに送信するようにしてもよい。
【００２９】
図１には、図４と同様に撮像装置１０Ａとして２つの撮像装置１０Ａ１、１０Ａ２が設置され、これらの撮像装置１０Ａ１、１０Ａ２が第１拠点Ａ内の状況を撮像して、その映像を図１１に示す通信ネットワーク２０により第２拠点Ｂの表示装置１４Ｂに送信する。図４では、第２拠点Ｂに設置した一方の表示装置１４Ｂ１が対応する映像表示部１５Ｂ１の表示面（２Ｂ）に表示させ、第２拠点Ｂに設置した他方の表示装置１４Ｂ２が対応する映像表示部１５Ｂ２の表示面（３Ｂ）に表示させる。すなわち、第２拠点Ｂの映像表示部１５Ｂには第１拠点Ａの撮像装置１０Ａが撮像した第１拠点Ａ内の状況を撮像した映像が表示されることになる。図１に示す例では、撮像装置１０Ａとして２つの撮像装置１０Ａ１、１０Ａ２を設置したが、１つの撮像装置により第１拠点Ａ内の状況を撮像して第２拠点Ｂに送信するようにしてもよい。
【００３０】
また、図１及び図４では、第１拠点Ａの音を集音し第２拠点Ｂの音を出力する音響装置（集音装置１２Ａ、音声装置１６Ａ）を第１拠点Ａ内に設け、第２拠点Ｂの音を集音し第１拠点Ａの音を出力する音響装置（集音装置１２Ｂ、音声装置１６Ｂ）を第２拠点Ｂ内に設けている。
【００３１】
図４において、第２拠点Ｂ内の撮像装置１０Ｂは、第２拠点Ｂに存在する角部ＳＢ内に設置して第２拠点Ｂの状況を撮像する。同様に図１において、第１拠点Ａ内の撮像装置１０Ａは、第１拠点Ａに存在する角部ＳＡ内に設置して第２拠点Ａの状況を撮像する。
図２、３は、第２拠点Ｂ内の状況を撮像した映像を、第１拠点Ａに存在する映像表示部１５Ａの表示面（２Ａ、３Ａ）に表示する場合を示している。図１５に示す第２拠点Ｂ内の撮像装置１０Ｂが撮像した第２拠点Ｂ内の状況の映像が、図２、３に示すように、第１拠点Ａに存在する角部ＳＡを構成する映像表示部１５Ａの表示面（２Ａ、３Ａ）に表示されることによって、第１拠点Ａの角部ＳＡ内にいる人が、あたかも第２拠点と同じ空間にいるような臨場感でコミュニケーションを図ることができ、第１拠点Ａの角部ＳＡ及び第２拠点Ｂの角部ＳＢがコミュニケーションの場となる。
【００３２】
以上のように、本発明の第１実施形態に係るコミュニケーションシステムは図１及び図４に示すように、第１拠点Ａと第２拠点Ｂ間でのコミュニケーションを誘発するコミュニケーションシステムであって、第１拠点Ａに存在する映像表示部１５Ａと、第２拠点Ｂ内の状況を撮像する撮像装置と、を有し、映像表示部１５Ａは、撮像装置１０Ｂが撮像した第２拠点Ｂ内の状況の映像を表示するために複数の面状部材に構成され、複数の面状部材を組み合わせることにより角部ＳＡをなすものである。
【００３３】
また、本発明の第１実施形態に係るコミュニケーションシステム１は図１及び図４に示すように、第１拠点Ａと第２拠点Ｂ間でのコミュニケーションを誘発するコミュニケーションシステム１であって、第１拠点Ａに存在する映像表示部１５Ａと、第２拠点Ｂ内の状況を撮像する撮像装置と、を有し、映像表示部１５Ａは、撮像装置１０Ｂが撮像した第２拠点Ｂ内の状況の映像を表示するために複数の面状部材に構成され、複数の面状部材は、映像表示部１５Ａを互いに角部ＳＡの内側に向けて組み合わせることにより角部ＳＡを構成してもよいものである。
【００３４】
また、本発明の第１実施形態に係るコミュニケーションシステム１は図１及び図４に示すように、第１拠点Ａと第２拠点Ｂ間でのコミュニケーションを誘発するコミュニケーションシステム１であって、第１拠点Ａに存在する映像表示部１５Ａと、第２拠点Ｂ内の状況を撮像する撮像装置と、を有し、映像表示部１５Ａは、撮像装置１０Ｂが撮像した第２拠点Ｂ内の状況の映像を表示するために複数の面状部材に構成され、複数の面状部材を撮像装置１０Ｂが撮像した第２拠点Ｂ内の状況の映像が角部ＳＡの内側に向けた映像表示部１５Ａに表示されるように組み合わせて角部ＳＡを構成してもよいものである。
【００３５】
本発明の第１実施形態に係るコミュニケーションシステム１を稼働させると第２拠点Ｂに存在する角部ＳＢ内に設置された撮像装置１０Ｂが、第２拠点Ｂ内の状況を撮像し、第１拠点Ａ内に設置した映像表示部１５Ａにより、撮像装置１０Ｂが撮像した前記映像を表示することにより第２拠点Ｂ内の状況を映像の情報として第１の空間Ａ内で発信させる。
【００３６】
映像表示部１５Ａで映像情報を発信する際には、角部ＳＡを構成する面状部材からなる映像表示部１５Ａから角部ＳＡの開口側に向けて第１拠点Ａ内に発信する。同様に、映像表示部１５Ｂで映像情報を発信する際には、角部ＳＢを構成する面状部材からなる映像表示部１５Ｂから角部ＳＢの開口側に向けて第２拠点Ｂ内に発信する。この場合、第１拠点Ａ及び第２拠点Ｂとしては、人Ｎが主に事務処理を行うオフィス、工場などの作業現場、商号施設などのようにコミュニケーションを取る必要がある空間であれば、いずれのものであってもよい。
【００３７】
コミュニケーションは、異なる拠点Ａ、Ｂ内に位置する人Ｎ同士が必要に応じて適宜行うものであるから、図４に示すように、第１拠点Ａ内に映像表示部１５Ａ、映像を撮像する撮像装置１０Ａを設置し、同様に第２拠点Ｂ内に、映像情報を表示する映像表示部１５Ｂ、撮像装置１０Ｂを設置し、異なる拠点Ａ、Ｂ内の状況を双方で発信させるようにしてもよいものである。前記双方での通信を行う場合、図１１に示すように、異なる拠点Ａ、Ｂ間に設けられている既設の通信ネットワーク（例えばインターネット回線網）２０を利用すればよいものである。
【００３８】
異なる拠点Ａ、Ｂを同一の空間のように共有する感覚を感得させるには、第２拠点Ｂの撮像装置１０Ｂにより、第２拠点Ｂ内の状況を逐次撮像し、第１拠点Ａの映像表示部１５Ａにより、撮像装置１０Ｂが撮像した第２拠点Ｂ内の状況を映像の情報として第１拠点Ａ内で逐次発信させ、同様に第１拠点Ａの撮像装置１０Ａにより、第１拠点Ａ内の状況を逐次撮像し、第２拠点Ｂの映像表示部１５Ｂにより、撮像装置１０Ａが撮像した第１拠点Ａ内の状況を映像の情報として第２拠点Ｂ内で逐次発信させるという運用にすればよいものである。
【００３９】
異なる拠点Ａ、Ｂがオフィスである場合を想定して拠点の角部ＳＡでコミュニケーションが誘発される場合を分析する。図１５に示すような、机の周りに角部がある場合、角部ＳＡは収納スペースとして使用されていない場合には、通路としてのみしか使用されておらず、いわゆるデッドスペースとなっており、有効に活用されていない場合が往々にしてある。
一方、オフィスでは、作業の効率化のために同じプロジェクトの人同士が、図１に示すような、近い位置に複数のデスクが設置されている場合が多い。そして、コミュニケーションは机周りで行われるのみであって、例えばそのプロジェクトが遠方のオフィスと共同で行われる場合には、遠方のオフィスの担当者とは電話や書類、メール、会議室に移動してのテレビ会議等によってコミュニケーションが行われる。
そして、人は複数の事務処理、例えば新しいアイデアを練る際、当面の目的とするアイデアの創出に集中し、他のアイデアが脳裏に無意識の状態で記憶されている場合がある。そして人はデスクの椅子に着座している場合には当面の目的であるアイデアの創出に集中しているが、デスクの椅子に離座して緊張感から解放された際に無意識な記憶が脳裏に意識的に読み出される場合がある。その場合、遠方のオフィスにいる担当者と即座にコミュニケーションを取ることにより新たなアイデアが有効なものとして結実する場合がある。
そこで、デッドスペースとなっていて活用されていない角部ＳＡを遠方のオフィスにいる担当者とのコミュニケーションの場として活用することができれば、角部ＳＡの有効活用を図ることができるとともに、事務効率が向上することになる。
【００４０】
そこで、図４に示すように、本発明の第１実施形態に係るコミュニケーションシステム１は、第１拠点Ａと第２拠点Ｂ間でのコミュニケーションを誘発するコミュニケーションシステム１であって、第１拠点Ａに存在する映像表示部１５Ａと、第２拠点Ｂ内の状況を撮像する撮像装置と、を有し、映像表示部１５Ａは、撮像装置１０Ｂが撮像した第２拠点Ｂ内の状況の映像を表示するために複数の面状部材に構成され、複数の面状部材を組み合わせることにより角部ＳＡをなすことよって、活用されていなかった角部ＳＡに第２拠点Ｂ内の状況が表示されることにより、角部ＳＡを通して第２拠点Ｂ内の空間が広がり、遠くにいる人でも距離を越えてすぐ隣にいるかのような感覚を生み出し、角部ＳＡをコミュニケーションの場として有効活用することができる。そして、コミュニケーションの場となった角部ＳＡでは、異なる拠点間でのコミュニケーションが誘発され、離れたオフィスとのコミュニケーションを活性化することができ、新たなアイデアの誘発やイノベーションなど知的創造を促進することができる。
【００４１】
複数の面状部材は、映像表示部１５Ａを互いに角部ＳＡの内側に向けて角部ＳＡを構成し、撮像装置１０Ｂが撮像した第２拠点Ｂ内の状況の映像が映像表示部１５Ａに表示されることにより、図２、３に示すように、角部ＳＡに異なる拠点内の状況が映像の情報として眼の前に広がり、角部ＳＡがコミュニケーションの起点となる。これにより、角部ＳＡの有効活用を図ることができるとともに、角部ＳＡの内側にいる人が、より臨場感、没入感をもって遠くにいる人でも距離を越えてすぐ隣にいるかのような存在感を感じることが出来る。
【００４２】
図１では、既設のパネル２、３を映像表示部１５Ａ（映像表示部１５Ａ１、１５Ａ２）として構築した例を示したが、オフィスなどによっては、既設のパネル２、３などが存在しないために本発明の第１実施形態に係るコミュニケーションシステム１を建物の内壁を利用して拠点Ａ、Ｂに設置する場合がある。その場合の例を図４乃至図１１に基づいて説明する。
コミュニケーションシステム１におけるコミュニケーションシステム１Ａとコミュニケーションシステム１Ｂとは、同様の構成を有しているので、以下、コミュニケーションシステム１Ａを中心に説明する。
図４は、コミュニケーションシステム１Ａ、１Ｂを第１拠点Ａ及び第２拠点Ｂのそれぞれに設けた場合の構成を示す図、図５は、図４に示すコミュニケーションシステム１Ａの外観を示す斜視図、図６は、図４に示すコミュニケーションシステム１Ａにおける表示装置１４Ａ及び映像表示部１５Ａの配置を示す図であり、（ａ）は前記配置を平面から見た模式図、（ｂ）は前記配置を側面から見た模式図、図７は、図１に示すコミュニケーションシステム１Ａにおける映像表示部１５Ａが構成される面状部材の、第１拠点Ａの床面ＦＡ及び天井ＣＡとの近接又は当接の関係を示す模式図、図８は、図１に示すコミュニケーションシステム１Ａにおける映像表示部１５Ａが構成される面状部材の配置を示す図であり、（ａ）は第１拠点Ａにおける配置を示す図、（ｂ）は第２拠点Ｂにおける配置を示す図、図９は、図４に示すコミュニケーションシステム１Ａにおける撮像装置１０Ａの配置を示す図であり、（ａ）は前記配置を平面から見た模式図、（ｂ）は前記配置を側面から見た模式図、図１０は、図４に示すコミュニケーションシステム１Ａ、１Ｂのブロック図、図１１は、データの流れを示す図であり、（ａ）は第１拠点から第２拠点へのデータ送受信を示す図、（ｂ）は第２拠点から第１拠点へのデータ送受信を示す図である。なお、図９においては、映像表示部１５Ａ、１５Ｂ以外の構成要素の図示を省略している。
【００４３】
［コミュニケーションシステムの構成］
図４に示すコミュニケーションシステム１において、第１拠点Ａに存在する角部ＳＡに設けられるコミュニケーションシステム１Ａは、図４及び図５に示すように、面状部材に構成される映像表示部１５Ａ（１５Ａ１、１５Ａ２）と、撮像装置１０Ａ（１０Ａ１、１０Ａ２）と、集音装置１２Ａと、表示装置１４Ａ（１４Ａ１、１４Ａ２）と、と、音声装置１６Ａと、送信部２１Ａと、受信部２３Ａと、を備える。以下、各構成についてそれぞれ説明する。なお、第２拠点Ｂに設けられるコミュニケーションシステム１Ｂは、同様の構成を備えているので、説明を省略する。
ここで、角部ＳＡとは、複数の面状部材を組み合わせることによって構成される空間領域であって、前記空間領域内にいる人Ｎが、面状部材からなる映像表示部１５Ａを通して第２拠点Ｂ内の状況の映像を視覚し、前記映像の情報を受信することができる空間領域をいうが、具体的には、本実施形態における角部ＳＡとは、図５に示すように、複数の面状部材を組み合わせることにより構成される空間領域であって、映像表示部１５Ａ１と、映像表示部１５Ａ２と、表示装置１４Ａ１から見て映像表示部１５Ａ１の左端と、表示装置１４Ａ２から見て映像表示部１５Ａ２の右端を結んだ面（Ｘ−Ｚ面）と、で囲まれた空間領域をいう。
【００４４】
［表示装置及び映像表示部］
図１では面状部材をパネル２、３、映像表示部をパネル面（２Ａ、３Ａ）としており、第１拠点の中央部に存在する角部ＳＡを利用したものである。面状部材としてパネルに限られるものではなく、内壁のように表示装置１４Ａからの映像がその内壁面に表示されるものを面状部材として用いてよいことは既に述べているが、図４乃至図６に示すコミュニケーションシステム１Ａの面状部材は壁、映像表示部１５Ａは壁面とし、第１拠点の角部ＳＡを利用したものである。
【００４５】
図４に示すように、壁面を映像表示部１５Ａとして用いている。図１に示す映像表示部１５Ａとして用いられる壁面はスクリーンであり、そのスクリーンである壁面に表示装置１４Ａからの映像が表示される。映像表示の際、壁面が映像表示部１５Ａとして機能する。壁は、床面ＦＡから天井ＣＡに向けて立ち上げて存在する面状部材であり、映像表示部１５Ａは面状部材に構成されている。
図４、図５に示すコミュニケーションシステム１Ａの映像表示部１５Ａは壁面の一部をスクリーンとして用いているが、これに限られるものではなく、壁面の全面をスクリーンとして用いてもよい。また、複数の映像を一つの壁面に映写してもよい。
【００４６】
さらに、図４に示す映像表示部１５Ａは、表示装置１４Ａからの映像が映写されて壁面に映像が表示される構成であるが、これに限られるものではない。
前記壁面に代えて液晶デジタルディスプレイのデジタル型ディスプレイを用いてもよく、この場合、デジタル型ディスプレイが表示媒体としての面状部材をなし、映像表示部１５Ａがデジタル型ディスプレイからなる面状部材（表示媒体）に構成されることになる。
また、前記デジタル型ディスプレイが前記パネルや前記建物の内壁面などの前面に配置された場合であってもよく、前記パネルや前記建物の内壁面等とその前面の前記デジタル型ディスプレイとが面状部材をなし、その面状部材に映像表示部１５Ａが構成される。
したがって、映像表示部１５Ａは、表示装置１４Ａからの映像が表示面に表示される構成、或いは自己発光して映像が表示される構成のいずれであってもよい。
【００４７】
本実施形態では、図５に示すように、２台の表示装置１４Ａ１、１４Ａ２は、天井から吊して設けられている。また、第１拠点Ａに存在する角部ＳＡを構成する２面の面状部材のうち一方の面状部材を映像表示部１５Ａ１とし、他方の面状部材に映像表示部１５Ａ２としている。なお、表示装置１４Ａ、映像表示部１５Ａは、本実施形態ではそれぞれ２つずつで構成しているが、これに限定されるものではなく、映像表示部１５Ａを通して異なる拠点内の状況の映像を表示することができればよいことから、少なくとも１つずつ以上あれば、配置数は限定されるものではない。図４に示すコミュニケーションシステム１において、表示装置１４Ａ及び映像表示部１５Ａは、第２拠点Ｂにおいて撮像された映像（ＤＢ１及び／又はＤＢ２）が第１拠点Ａで見ることができる構成であればよく、コミュニケーションシステム１の演出ができれば、表示装置１４Ａ、映像表示部１５Ａの台数は限定されるものではないからである。
【００４８】
また、本実施形態では、図５及び図６に示すように、第１表示装置１４Ａ１が第１映像表示部１５Ａ１の対面に配置されて第１表示装置１４Ａ１が映写した映像は、第１映像表示部１５Ａ１の全面若しくはほぼ全面の範囲で映写されて表示される。また、第２表示装置１４Ａ２が第２映像表示部１５Ａ２の対面に配置されて、第２表示装置１４Ａ２が映写した映像は第２映像表示部１５Ａ２の全面若しくはほぼ全面の範囲で映写されて表示される。しかして、第１映像表示部１５Ａ１若しくは第２映像表示部１５Ａ２には、第１表示装置１４Ａ１、第２表示装置１４Ａ２の映像が全面若しくはほぼ全面に映写されればよいので、例えば、図６（ａ）に示す配置関係において、第１表示装置１４Ａ１の映像を第２映像表示部１５Ａ２に、及び第２表示装置１４Ａ２の映像を第２映像表示部１５Ａ２に映写されて表示されるものでもよい。
【００４９】
また、本実施形態では、２台の表示装置１４Ａ１、１４Ａ２は、天井から吊して設けられて高い位置から映像が映写される。したがって、角部ＳＡ内で人の移動が行われても映写される映像が遮られることがなく、第１拠点Ａのコミュニケーションシステム１Ａと第２拠点Ｂのコミュニケーションシステム１Ｂとの空間と空間とが一体となってコミュニケーションが可能な空間が形成される。
【００５０】
また、図４に示すように、第２拠点Ｂのコミュニケーションシステム１Ｂの撮像装置１０Ｂの撮像範囲に立つ者が撮像装置１０Ｂにより撮像され、その映像（ＤＢ１、ＤＢ２）が第１拠点Ａのコミュニケーションシステム１Ａの映像表示部１５Ａに映写されるに際して、撮像装置１０Ｂの撮像範囲に立つ者の映像が等身大に映写されることが可能なサイズで映像表示部１５Ａが構成されるのが好ましい。本実施形態に係るコミュニケーションシステム１は、第１拠点Ａと第２拠点Ｂとの異なる拠点において、あたかも第１拠点Ａにいる者と第２拠点Ｂにいる者とが同じ空間にいるような演出をすることができ、双方向に臨場感のあるリアルタイムな会話を実現するものであるから、第１拠点Ａと第２拠点Ｂとの異なる拠点が恰も同じ空間となるように演出することができるからである。
【００５１】
図５及び図６（ａ）に示すように、第１映像表示部１５Ａ１及び第２映像表示部１５Ａ２は、第１映像表示部１５Ａ１及び第２映像表示部１５Ａ２の境界を基点として、全体として、平面視、角度α（図６（ａ）参照）で折れ曲がった映像表示部１５Ａを形成している。なお、図６（ａ）で示す角度αは、９０度となっているが、本実施形態に係るコミュニケーションシステム１を演出することができればよいので、角度αは適宜設定することができる。
【００５２】
映像表示部１５Ａは、第２拠点Ｂにおいて撮像された映像（ＤＢ１及び／又はＤＢ２）が映し出される表示面であればよい。そのため、映像表示部１５Ａは、図４に示すように表示媒体としての面状部材そのものに構成される場合に限られず、パネルや建物の内壁の前面に配置した強度の高い板状部材などの面状媒体（表示媒体）に構成されるようにしてもよい。また、映像表示部１５Ａは面状部材の全面或いは一部に構成されていてもよい（図８（ｄ）参照）。また、第１拠点Ａの面状部材は壁である場合に限られず、パーティションを含む前記板状部材を面状部材としてもよいし、液晶ディスプレイ（図示せず）を面状部材としてその液晶ディスプレイの表示部を映像表示部１５Ａとしてもよい。また、本実施形態においては、面状部材は平面であるが、映像表示部１５Ａを通して異なる拠点内の人の動きを含めた映像情報を発信することができればよいことから、凹凸のある形状や湾曲した形状であってもよく、その形状は特に限定されない。
【００５３】
また、図４乃至図１２に示す本実施形態では、面状部材は壁であるが、パーティションやデジタル型ディスプレイなどの映像を表示することができる表示面を有していれば、これに限られるものではない。面状部材は、第１拠点Ａの部屋の隅部をなす壁でもよいし、第１拠点Ａの部屋の隅部をなす壁に沿って配置されたデジタル型ディスプレイやパーティション等でもよい。
すなわち、例えば面状部材を第１拠点Ａの部屋の隅部をなす壁とする場合には、映像表示部１５Ａは、撮像装置１０Ｂが撮像した第２拠点Ｂ内の状況の映像を表示するために複数の面状部材に構成され、複数の面状部材を組み合わせることにより角部ＳＡをなし、角部ＳＡは第１拠点Ａの空間の隅部をなしていることになる。
また、例えば面状部材を第１拠点Ａの部屋の隅部をなす壁に沿って配置されたデジタル型ディスプレイとする場合には、映像表示部１５Ａは、撮像装置１０Ｂが撮像した第２拠点Ｂ内の状況の映像を表示するために複数の面状部材に構成され、複数の面状部材を組み合わせることにより角部ＳＡをなし、角部ＳＡは第１拠点Ａの空間の隅部をなす壁に沿って配置されていることになる。
【００５４】
また、図５に示すように、映像表示部１５Ａの下端は、第１拠点Ａの床面ＦＡに対して近接又は当接するのが好ましく、また、映像表示部１５Ａの上端は、第１拠点Ａの天井ＣＡに対して近接又は当接するのが好ましい。すなわち、映像表示部１５Ａの下端は、第１拠点Ａの床面ＦＡに対して当接するか（図７（ａ）、（ｃ）、（ｄ）参照）、第１拠点Ａの床面ＦＡに対して近接する（図７（ｂ）参照）のが好ましい。このように構成することにより、映像表示部１５Ａの映像を見る視覚者の目線よりも十分に低い位置まで、映像表示部１５Ａに第２拠点Ｂの映像を表示させることが可能となる。
【００５５】
また、映像表示部１５Ａの上端は、第１拠点Ａの天井ＣＡに対して近接するか（図７（ａ）及び（ｂ）参照）、第１拠点Ａの天井ＣＡに対して当接する（図７（ｃ）及び（ｄ）参照）のが好ましい。或いは、図８に示すように、映像表示部１５Ａの上端と第１拠点Ａの天井ＣＡとの間に、第１拠点Ａの壁面ＷＡが映像表示部１５Ａに向かって立つ視覚者の視界に入らない高さに設定されるのが好ましい。このように構成することにより、映像表示部１５Ａの映像を見る視覚者の目線よりも十分に高い位置まで、映像表示部１５Ａに第２拠点Ｂの映像を表示させることが可能となる。
【００５６】
［音声装置］
図４及び図５に示すように、音声装置１６Ａは、スピーカーなどで構成され、第２拠点Ｂにおいて集音された音（ＶＢ）（図１１に図示）を発する装置である。臨場感のある音を発することができるように、後述の集音装置１２Ｂを２台以上で構成し、それに対応させて音声装置１６Ａを２台以上で構成してもよい。
【００５７】
［撮像装置］
撮像装置１０Ａは、ビデオカメラなどで構成され、第１拠点Ａにおける所定空間を撮像するためのカメラレンズ１１Ａを備える装置である。
【００５８】
図５に示す通り、本実施形態においては、撮像装置１０Ａとして、２台の撮像装置１０Ａ１、１０Ａ２で構成する例を示しているが、撮像装置１０Ａの配置台数は２台に限定されるものではなく、少なくとも１台以上であればよい。
【００５９】
図５に示すように、第１撮像装置１０Ａ１及び第２撮像装置１０Ａ２は、映像表示部１５Ａの中央部に設けられ、第１映像表示部１５Ａ１と第２映像表示部１５Ａ２との境界近傍に配置され、その配置場所（１点）から２方向を夫々個別に撮像する。第１撮像装置１０Ａ１及び第２撮像装置１０Ａ２は、各撮像方向（図９（ａ）の光軸方向ＬＡ１、ＬＡ２参照）をそれぞれ個別に撮像した映像（ＤＡ１、ＤＡ２）を逐次出力するようになっている。
【００６０】
図４及び図５に示すように、第１撮像装置１０Ａ１及び第２撮像装置１０Ａ２は、図８（ａ）に示す光軸方向ＬＡ１、ＬＡ２方向に奥行きのある映像（ＤＡ１、ＤＡ２）を撮像して出力されるため、角部ＳＡから開かれている方向の空間の映像が撮像される。したがって、図２、３に示すように、角部ＳＡを移動する人のみならず、角部ＳＡから離れた空間の中央を移動する人や空間も撮像するため、異なる拠点が一体化される映像を撮像することができる。
【００６１】
［集音装置］
図４及び図５に示すように、集音装置１２Ａは、マイクロフォンなどで構成され、第１拠点Ａにおける所定空間の音を集音するための装置であり、集音した音（ＶＡ）(図１１に図示)を逐次出力するようになっている。また、集音装置１２Ａを２台以上で構成してもよい。集音装置１２Ａは、任意に設定した範囲内の音のみを集音できるように設定してもよい。
【００６２】
［送信部及び受信部］
図１０及び図１１に示すように、コミュニケーションシステム１Ａは、インターネットなどの通信ネットワーク２０を介した通信を行うための通信手段として、送信部２１Ａ及び受信部２３Ａを有する。送信部２１Ａは、撮像装置１０Ａ１、１０Ａ２により撮像され出力された映像ＤＡ１、ＤＡ２や、集音装置１２Ａにより集音され出力された音ＶＡを通信ネットワーク２０に送出するようになっている。受信部２３Ａは、第２拠点Ｂで撮像され出力された映像ＤＢ１、ＤＢ２や、集音されて出力された音ＶＢを通信ネットワーク２０から受信するようになっている。なお、通信ネットワーク２０は、インターネットのみならず、イントラネット、その他の通信回線での通信ネットワークでもよい。
【００６３】
［制御装置］
第１撮像装置１０Ａ１、第２撮像装置１０Ａ２、集音装置１２Ａ、第１表示装置１４Ａ１、第２表示装置１４Ａ２、音声装置１６Ａ、送信部２１Ａ、受信部２３Ａの全部又は一部と接続されてそれらの動作を制御するための、１以上の制御装置（図示せず）を有する構成としてもよい。その制御装置は、例えば、パーソナルコンピュータで構成されている。
【００６４】
［コミュニケーションシステムの組み立て］
更に、表示装置１４Ａ（第１表示装置１４Ａ１及び第２表示装置１４Ａ２）の固定位置についてより詳しく説明する。表示装置１４Ａは、第１拠点に存在する角部ＳＡを有効に使用して、第２拠点Ｂにおいて撮像された映像を映像表示部１５Ａに映写するように設定する。すなわち、映像表示部１５Ａには、撮像装置１０Ｂが撮像した第２拠点Ｂの映像が、映像表示部１５Ａの下端まで表示される。また、映像表示部１５Ａには、撮像装置１０Ｂが撮像した第２拠点Ｂの映像が、映像表示部１５Ａの上端まで表示される。更には、映像表示部１５Ａには、撮像装置１０Ｂが撮像した第２拠点Ｂの映像が、映像表示部１５Ａの幅方向両端まで表示される。
【００６５】
本実施形態においては、第１映像表示部１５Ａ１及び第２映像表示部１５Ａ２の大きさは、幅は映像表示部１５Ａという映写可能な範囲、高さは天井高に対応している。この大きさに対応するようにして、第２拠点Ｂにおいて撮像された映像（又は所定の映像処理が施された映像）を映写するように設定する。そのため、図６（ａ）に示すように、第１表示装置１４Ａ１は、その設置位置から前記映像を第１映像表示部１５Ａ１に対して映写したときに、第１表示装置１４Ａ１から見て映写された映像の幅方向右端が角部ＳＡと一致若しくは略一致するような映像映写角度θ１１で映写できる位置に取付・固定する。同様に、第２表示装置１４Ａ２は、その設置位置から前記映像を第２映像表示部１５Ａ２に対して映写したときに、第２表示装置１４Ａ２から見て映写された映像の幅方向左端が角部ＳＡと一致若しくは略一致するような映像映写角度θ１１で映写できる位置ＣＷ１に取付・固定する。位置ＣＷ１は、第１表示装置１４Ａ１からの映像の映写が左右均等になるようになっている。同様に、第２表示装置１４Ａ２からの映像の映写が左右均等になるようになっている。
また、図６（ｂ）に示すように、表示装置１４Ａ１は、その設置位置から前記映像を第１映像表示部１５Ａ１に対して映写したときに、映写された映像の高さ方向両端が床面ＦＡから天井面ＣＡまでの高さと一致若しくは略一致するような映像映写角度θ１２で映写できる位置ＣＨ１に取付・固定する。
【００６６】
図６（ａ）（ｂ）に示す本実施形態では、第１表示装置１４Ａ１及び第２表示装置１４Ａ２からの映像の映写が左右均等になるように、かつ、床面ＦＡから天井面ＣＡまでの高さに合わせて、表示装置（１４Ａ１、１４Ａ２）の位置及び映像映写角度、映像表示部（１５Ａ１、１５Ａ２）の大きさを決定しているが、映像表示部（１５Ａ１、１５Ａ２）に表示された映像によりあたかも同じ空間にいるような臨場感を生み出すことができればよく、任意の位置、映像映写角度、大きさにすることができる。
【００６７】
図５に示すように、第１撮像装置１０Ａ１及び第２撮像装置１０Ａ２は、映像表示部１５Ａの中央部である第１映像表示部Ａ１と第２映像表示部１５Ａ２との境界近傍に設置される。第１撮像装置１０Ａ１及び第２撮像装置１０Ａ２の設置方法は、特に限定されるものではなく、例えば、別の載置台に設置してもよい。
【００６８】
図９を参照して、第１撮像装置１０Ａ１及び第２撮像装置１０Ａ２がそれぞれ備えるカメラレンズ１１Ａ１、１１Ａ２の撮像方向及び配置を説明する。図９（ａ）に示すように、第１カメラレンズ１１Ａ１の水平方向の設置は、第２映像表示部１５Ａ２が撮像されない様に設定する。第２カメラレンズ１１Ａ２の水平方向の位置は、第１映像表示部１５Ａ１が撮像されない様に設定する。このように設置することによって、第１拠点Ａにおける第１映像表示部１５Ａ１及び第２映像表示部１５Ａ２が、第２拠点Ｂで映写される映像に表示されなくなり、臨場感・リアリティのある映像を第２拠点Ｂへ提供できるようになる。
【００６９】
一方、第１カメラレンズ１１Ａ１、第２カメラレンズ１１Ａ２の垂直方向の配置は、第１カメラレンズ１１Ａ１の光軸ＬＡ１及び第２カメラレンズ１１Ａ２の光軸ＬＡ２がそれぞれ水平であって、第１カメラレンズ１１Ａ１の光軸ＬＡ１と、第２カメラレンズ１１Ａ２の光軸ＬＡ２との高さが一致する様に、第１撮像装置１０Ａ１及び第２撮像装置１０Ａ２を配置する。第１カメラレンズ１１Ａ１及び第２カメラレンズ１１Ａ２の光軸ＬＡ１、ＬＡ２の高さが一致しない場合は、第２拠点Ｂにおける第１映像表示部１５Ｂ１に映写される映像と第２映像表示部１５Ｂ２に映写される映像との間で上下のズレが生じることとなり、このようなズレを防ぐ必要がある。第１カメラレンズ１１Ａ１及び第２カメラレンズ１１Ａ２の配置高さＨ１は、例えば、着座した人間の平均的な視線の高さ乃至起立した人間の平均的な視線の高さに調整すると、第２拠点Ｂにおいて映写される映像が自然な感覚で観ることが可能となる。本実施形態では、Ｈ１を床面ＦＡから約１ｍ程度に設定することにより、臨場感・リアリティのある映像を撮像し得るが、この高さは適宜設定を行えばよい。
【００７０】
更に、撮像装置１０Ａが、少なくとも第１拠点Ａの床面ＦＡの一部を含む所定空間を撮像して映像を出力できるように、カメラレンズ１１Ａの画角が調整される。例えば、図９（ｂ）に示すように、第１カメラレンズ１１Ａ１、第２カメラレンズ１１Ａ２は、第１拠点Ａにおける床面ＦＡの一部（図９（ｂ）のＰ点を参照）が映り込むように画角を調整する。特に、被写体の足及びその周囲の床面ＦＡが撮像できるように、第１カメラレンズ１１Ａ１、第２カメラレンズ１１Ａ２の画角を調整する。被写体の足及びその周囲の床面ＦＡが撮像されることによって、空間の連続性が生まれて臨場感・リアリティのある映像を提供することができる。同様に、撮像装置１０Ａが、少なくとも第１拠点Ａの天井ＣＡの一部を含む所定空間を撮像して映像を出力できるように、カメラレンズ１１Ａの画角が調整される。
【００７１】
なお、第１カメラレンズ１１Ａ１、第２カメラレンズ１１Ａ２は、第１カメラレンズ１１Ａ１の光軸ＬＡ１及び第２カメラレンズ１１Ａ２の光軸ＬＡ２がそれぞれ水平になるように配置する場合を説明したが、第１表示装置１４Ａ１や第２表示装置１４Ａ２が映り込まず（図９（ａ）参照）、かつ、内部空間ＳＡにおける床面ＦＡの一部（図９（ｂ）のＰ点を参照）が映り込むように、第１カメラレンズ１１Ａ１の光軸ＬＡ１及び第２カメラレンズ１１Ａ２の光軸ＬＡ２がそれぞれ下向きになるようにして配置してもよい。
【００７２】
集音装置１２Ａの配置場所は特に限定されないが、主として角部ＳＡ周辺における音を集音することができる位置に適宜配置すればよい。
【００７３】
音声装置１６Ａの配置場所は特に限定されないが、第２拠点において集音された音（ＶＢ）を主として角部ＳＡ周辺において前記音を明瞭に聞き取ることができる位置に適宜配置すればよい。
【００７４】
図１０に示す送信部２１Ａや受信部２３Ａの配置場所は特に限定されるものではなく、上記各装置と接続されていればよい。
【００７５】
以上のようにして、第１拠点Ａにおいて、角部ＳＡを利用してコミュニケーションシステム１Ａが組み立てられる。同様にして、第２拠点Ｂにおいても、角部ＳＡを利用してコミュニケーションシステム１Ｂを組み立てればよい。
【００７６】
［コミュニケーションシステムの動作及び処理］
図１０及び図１１に示すように、第２拠点Ｂに配置するためのコミュニケーションシステム１Ｂは、上述したコミュニケーションシステム１Ａと同様にして、撮像装置１０Ｂ（１０Ｂ１、１０Ｂ２）と、集音装置１２Ｂと、表示装置１４Ｂ（１４Ｂ１、１４Ｂ２）と、映像表示部１５Ｂ（１５Ｂ１、１５Ｂ２）と、音声装置１６Ｂと、送信部２１Ｂと、受信部２３Ｂと、によって構成する。コミュニケーションシステム１は、第１拠点Ａにコミュニケーションシステム１Ａを配置し、第２拠点Ｂにコミュニケーションシステム１Ｂを配置することにより、第１拠点Ａと第２拠点Ｂとの間（主として遠隔地のオフィス、工場など）のコミュニケーションを行うことができる。以下、コミュニケーションシステム１について、図１０及び図１１を参照して説明する。図１１は、コミュニケーションシステム１Ａ、１Ｂにおけるデータの流れを示す図であり、（ａ）は第１拠点Ａから第２拠点Ｂへのデータ送受信を示す図、（ｂ）は第２拠点Ｂから第１拠点Ａへのデータ送受信を示す図である。
【００７７】
図１０及び図１１に示すように、第１拠点Ａにはコミュニケーションシステム１Ａが、第２拠点Ｂにはコミュニケーションシステム１Ｂがそれぞれ配置され、各装置を図示せぬ操作手段によって起動させることによって、コミュニケーションシステム１Ａの送信部２１Ａ及び受信部２３Ａ、並びに、コミュニケーションシステム１Ｂの送信部２１Ｂ及び受信部２３Ｂが通信ネットワーク２０を介して接続される。また、第１拠点Ａの撮像装置１０Ａ（１０Ａ１、１０Ａ２）及び集音装置１２Ａが第１拠点Ａの所定空間において撮像及び集音を開始し、逐次出力される映像（ＤＡ１、ＤＡ２）及び音（ＶＡ）が送信部２１Ａによって通信ネットワーク２０へ送出される。第２拠点Ｂの受信部２３Ｂが第１拠点Ａで撮像・集音された映像（ＤＡ１、ＤＡ２）及び音（ＶＡ）を受信し、リアルタイムに、第２拠点Ｂの表示装置１４Ｂ（１４Ｂ１、１４Ｂ２）がその映像（ＤＡ１、ＤＡ２）を映像表示部１５Ｂ（１５Ｂ１、１５Ｂ２）に映写し、音声装置１６Ｂが音（ＶＡ）を発する。更に、第２拠点Ｂの撮像装置１０Ｂ（１０Ｂ１、１０Ｂ２）及び集音装置１２Ｂが第２拠点Ｂの所定空間において撮像及び集音を開始し、逐次出力される映像（ＤＢ１、ＤＢ２）及び音（ＶＢ）が送信部２１Ｂによって通信ネットワーク２０へ送出される。第１拠点Ａの受信部２３Ａが第２拠点Ｂで撮像・集音された映像（ＤＢ１、ＤＢ２）及び音（ＶＢ）を受信し、リアルタイムに、第１拠点Ａの表示装置１４Ａ（１４Ａ１、１４Ａ２）がその映像（ＤＢ１、ＤＢ２）を映像表示部１５Ａ（１５Ａ１、１５Ａ２）に映写し、音声装置１６Ａが音（ＶＢ）を発する。
【００７８】
ここで、第１拠点Ａの第１映像表示部１５Ａ１、第２映像表示部１５Ａ２に第２拠点Ｂの映像ＤＢ１、ＤＢ２を映写するに際して、第１表示装置１４Ａ１及び第２表示装置１４Ａ２において行われる映像処理について説明する。
【００７９】
第１拠点Ａに配置されるコミュニケーションシステム１Ａは、第２拠点Ｂに配置されたコミュニケーションシステム１Ｂの第１撮像手段１０Ｂ１及び第２撮像手段１０Ｂ２が撮像した第２拠点Ｂの映像ＤＢ１、ＤＢ２を、第１映像表示部１５Ａ１と第２映像表示部１５Ａ２とからなる横長の映像表示部１５Ａに対して、恰も一連の横長の映像のごとく映写するものである。そこで、第１拠点Ａの映像表示部１４Ａは、受信部２３Ａで受信した映像ＤＢ１、ＤＢ２を恰も一連の横長の映像のごとく映写するための映像処理を実行する。
【００８０】
第２拠点Ｂにおける第１撮像手段１０Ｂ１の第１カメラレンズ１１Ｂ１の画角と第２撮像手段１０Ｂ２の第１カメラレンズ１１Ｂ２の画角とが一部重複している場合には撮像範囲が一部重複してしまい、その結果、第１撮像手段１０Ｂ１が撮像した映像ＤＢ１及び第２撮像手段１０Ｂ２が撮像した映像ＤＢ２は、同一の撮像対象が映り込んでしまう（図９（ａ）参照）。そこで、表示装置１４Ａは、映像ＤＢ１、ＤＢ２のうち、重複した映像部分をカットする第１映像処理を実行する。例えば、第１カメラレンズ１１Ｂ１の撮像方向（図９（ａ）におけるＬＡ１に相当）と、第２カメラレンズ１１Ｂ２の撮像方向（図９（ａ）におけるＬＡ２に相当）と、の中間（図９（ａ）におけるＬに相当）を境界として、第１表示装置１４Ａ１では映像ＤＢ１から映像ＤＢ２との重複部分をカットし、第２表示装置１４Ａ２では映像ＤＢ２から映像ＤＢ１との重複部分をカットするようにすればよい。
【００８１】
また、第１表示装置１４Ａ１は、第１映像表示部１５Ａ１の中心よりも上側の位置から映像ＤＢ１を映写することになるため、第１映像表示部１５Ａ１に映し出される映像は台形に歪んでしまう。この歪みを解消するために、第１映像表示部１５Ａ１の表示面に沿って映像を四角く見せるための台形歪み補正（ｋｅｙｓｔｏｎｅ補正）をする第２映像処理を実行する。
【００８２】
映像表示部１５Ａの下端側には、撮像装置１０Ｂにより撮像された第２拠点Ｂの映像のうち、第２拠点Ｂの床面ＦＢの映像が表示される。これにより、映像表示部１５Ａの下端が床面ＦＡに対して近接又は当接していることと相まって、実際の第１拠点Ａの床面ＦＡと映像表示部１５Ａに表示される映像としての第２拠点Ｂの床面ＦＢとが恰も連続しており、現実に視覚者がいる第１拠点Ａの空間と映像表示されている第２拠点Ｂの空間とが連続しているかのような演出によって、臨場感とリアリティのある映像を提供することができる。また、映像表示部１５Ａには、撮像装置１０Ｂが撮像した第２拠点Ｂの映像が、映像表示部１５Ａの下端まで表示されることと相まって、映像表示部１５Ａの下端側に、映像が表示されない余白部分がなくなり、実際の第１拠点Ａの床面ＦＡと、映像表示部１５Ａに表示される映像としての第２拠点Ｂの床面ＦＢとの連続感を一層向上させることができ、テレビ画面を見ている感覚が払拭された、更なる臨場感とリアリティのある映像を提供することができる。
【００８３】
映像表示部１５Ａの上端側には、撮像装置１０Ｂにより撮像された第２拠点Ｂの映像のうち、第２拠点Ｂの天井ＣＢの映像が表示される。これにより、映像表示部１５Ａの上端が天井ＣＡに対して近接又は当接していることと相まって、実際の第１拠点Ａの天井ＣＡと映像表示部１５Ａに表示される映像としての第２拠点Ｂの天井ＣＢとが恰も連続しており、現実に視覚者がいる第１拠点Ａの空間と映像表示されている第２拠点Ｂの空間とが連続しているかのような演出によって、臨場感とリアリティのある映像を提供することができる。また、映像表示部１５Ａには、撮像装置１０Ｂが撮像した第２拠点Ｂの映像が、映像表示部１５Ａの上端まで表示されることと相まって、実際の第１拠点Ａの天井ＣＡと、映像表示部１５Ａに表示される映像としての第２拠点Ｂの天井ＣＢとの連続感を一層向上させることができ、床面及び天井の両方で連続しているかのような、テレビ画面を見ている感覚が払拭された、更なる臨場感とリアリティのある映像を提供することができる。
【００８４】
更には、映像表示部１５Ａには、撮像装置１０Ｂが撮像した第２拠点Ｂの映像が、映像表示部１５Ａの幅方向両端まで表示されることと相まって、映像表示部１５Ａの幅方向両端に、映像が表示されない余白部分がなくなり、実際の第１拠点Ａと、映像表示部１５Ａに表示される映像としての第２拠点Ｂとの連続感を一層向上させることができ、テレビ画面を見ているかのような感覚を払拭した、更なる臨場感とリアリティのある映像を提供することができる。
【００８５】
第１拠点Ａのコミュニケーションシステム１Ａと、第２拠点Ｂのコミュニケーションシステム１Ｂをそれぞれ稼動し続けておくことにより空間の連続性が生まれて臨場感・リアリティのある映像を提供でき、第１拠点Ａにいる者と第２拠点Ｂにいる者との間の円滑なコミュニケーションを常時実現することが可能となる。なお、コミュニケーションシステム１Ａ及び／又はコミュニケーションシステム１Ｂのオン・オフやその接続時間などは利用目的等に応じて適宜設定すればよい。例えば、第１拠点Ａとしてのオフィスと、第２拠点Ｂとしてのオフィスとで利用する場合には、コミュニケーションの活性化及び誘発を促進するために、両オフィスの営業時間の間、常時稼働させるのが好適である。
【００８６】
［コミュニケーションシステムの配置場所］
第１拠点Ａにおけるコミュニケーションシステム１Ａの配置場所、及び、第２拠点Ｂにおけるコミュニケーションシステム１Ｂの配置場所は、コミュニケーションシステム１の用途に応じて適宜配置すればよい。
【００８７】
例えば、第１拠点Ａ及び第２拠点Ｂがそれぞれ会社のオフィスであって、第１拠点Ａにいる社員と第２拠点Ｂにいる社員との間でのコミュニケーションを図りやすくするために、その社員の机に近い角部ＳＡにコミュニケーションシステム１Ａ及び／又はコミュニケーションシステム１Ｂを配置する。角部ＳＡを配置場所に採択することによって、デッドスペースとなっていた壁に第２拠点Ｂ内の状況の映像が表示されることによって、会議のような予定を合わせていなくても、机に座って作業をしている最中でさえも自然にお互いの拠点から会話をする（声をかける）ことや、相手方拠点における立ち話を見つけて他拠点からその会話に参加すること等を実現し、コミュニケーションの相手が同じ拠点（すぐ隣、目の前）にいるかのような距離感でのコミュニケーションを実現できることから、角部を有効活用することができる。
【００８８】
また、屋内空間（部屋）の角部ＳＡは、比較的大型のコミュニケーションシステム１Ａ（及び／又はコミュニケーションシステム１Ｂ）を常設する場所としても受け入れられ易い。
【００８９】
［変形例１］
上記実施形態のうち、撮像装置１０Ａ（１０Ａ１、１０Ａ２）の撮像方向については、図１２に示すように設定するようにしてもよい。図１２は、図１に示すコミュニケーションシステム１Ａの変形例における撮像装置１０Ａの撮像方向を示す図である。
【００９０】
上記実施形態では、第１カメラレンズ１１Ａ１の水平方向への配置位置は、第２映像表示部１５Ａ２が撮像されない様に設定し、第２カメラレンズ１１Ａ２の水平方向への配置位置は、第１映像表示部１５Ａ１が撮像されない様に設定する例を説明した。これに対して、変形例１においては、図１２に示すように、第１カメラレンズ１１Ａ１及び第２カメラレンズ１１Ａ２の水平方向への配置位置は、第１カメラレンズ１１Ａ１の画角の端部と、第２カメラレンズ１１Ａ２の画角の端部とが境界線Ｌで一致する様に設定する。
【００９１】
このような配置によると、第１カメラレンズ１１Ａ１により撮像された映像ＤＡ１には、第２映像表示部１５Ａ２が映り込み、また、第２カメラレンズ１１Ａ２により撮像された映像ＤＡ２には、第１映像表示部１５Ａ１が映り込んでしまい、これらの映像をそのまま第２拠点Ｂで映写すると臨場感・リアリティが欠けてしまう。そこで、第２拠点Ｂの表示装置１４Ｂにおいて、映像ＤＡ１、ＤＡ２のうち、第１拠点Ａにおける映像表示部１５Ａが映り込んでいる部分をカットする映像処理を実行するのが好ましい。
【００９２】
より具体的には、第２拠点Ｂの第１表示装置１４Ｂ１は、映像ＤＡ１のうち第１拠点Ａの第１映像表示部１５Ａ１が映り込んでいる部分をカットする映像処理をして第１映像表示部１５Ｂ１に映写し、第２表示装置１４Ｂ２は、映像ＤＡ２のうち第１拠点Ａの第２映像表示部１５Ａ２が映り込んでいる部分をカットする映像処理を実行して第２映像表示部１５Ｂ２に映写するようにする。このような映像処理を実行することによって、第１拠点Ａにおける第１映像表示部１５Ａ１及び第２映像表示部１５Ａ２が、第２拠点Ｂで映写される映像に映り込まなくなり、臨場感・リアリティのある映像を第２拠点Ｂへ提供できるようになる。映像ＤＢ１、ＤＢ２についても同様に、第１表示装置１４Ａ１及び第２表示装置１４Ａ２において映像処理を実行することで、第２拠点Ｂにおける第１映像表示部１５Ｂ１及び第２映像表示部１５Ｂ２が、第１拠点Ａで映写される映像に映り込まなくなり、臨場感・リアリティのある映像を第２拠点Ｂへ提供できるようになる。
【００９３】
［変形例２］
第１カメラレンズ１１Ａ１及び第２カメラレンズ１１Ａ２の画角に関しては、上記実施形態において説明したように、第１カメラレンズ１１Ａ１は、第１表示装置１４Ａ１が映り込まない画角とし、第２カメラレンズ１１Ａ２も第２表示装置１４Ａ２が映り込まない画角とするとともに（図１２（ａ）参照）、上記変形例１において説明したように、第１カメラレンズ１１Ａ１の画角の端部と、第２カメラレンズ１１Ａ２の画角の端部とが境界線Ｌ（図１２参照）で一致する画角としてもよい。これによれば、第２拠点Ｂの第１表示装置１４Ｂ１では、映像ＤＡ１の所定部分をカットする映像処理を実行する必要がなくなり、同様に、第２拠点Ｂの第２表示装置１４Ｂ２では、映像ＤＡ２の所定部分をカットする映像処理を実行する必要がなくなり、映像処理の簡単化を図ることができる点で好ましい。
【００９４】
［第２実施形態］
第１実施形態は、第１拠点Ａの既設の面状部材を利用し、コミュニケーションシステム１を実施するものであるが、これに限られるものではない。
例えば、既設の壁等によって生まれるコーナー等の角部は、角部の壁紙に模様が入っていたり、ガラス窓であったりと、映像表示部１５Ａとしては利用しづらい場合がある。
そこで、以下に示す第２実施形態では、デッドスペースとなっていた角部に新たにコミュニケーションシステム１を配置する場合や、図１３に示すように、通路（動線）としてのみしか活用されていなかった空間にコミュニケーションシステム１を新たに配置することによって角部を形成し、コミュニケーションの場として有効活用する場合について、説明する。
【００９５】
図１３に示すように、第２実施形態に係るコミュニケーションシステム１は、第１実施形態に係るコミュニケーションシステム１と基本的な構成は同様であるが、第１実施形態に係るコミュニケーションシステム１Ａでは壁面を映像表示部１５Ａとし、表示装置１４Ａを天井から吊して設置して構成しているのに対し、第２実施形態に係るコミュニケーションシステム１Ａではフレーム５０を用いて板状部材のパネル面を映像表示部１５Ａとし、表示装置１４Ａをフレーム５０に設置している点で異なる。
【００９６】
図１４乃至図１８を参照して、第２実施形態に係るコミュニケーションシステム１の構成の詳細を以下に説明する。第２実施形態に係るコミュニケーションシステム１は、コミュニケーションシステム１Ａとコミュニケーションシステム１Ｂとを備えているが、コミュニケーションシステム１におけるコミュニケーションシステム１Ａとコミュニケーションシステム１Ｂとは、同様の構成を有しているので、以下、コミュニケーションシステム１Ａを中心に説明する。
なお、音声装置、撮像装置、集音装置、送信部及び受信部、制御装置については、第１実施形態に係るコミュニケーションシステム１Ａと基本的な構成は同様であるので、以下、第１実施形態に係るコミュニケーションシステム１Ａの構成と異なる構成について中心に説明する。
【００９７】
図１４は、第２実施形態に係るコミュニケーションシステム１Ａ、１Ｂを第１拠点Ａ及び第２拠点Ｂのそれぞれに設けた場合の構成を示す図、図１５は、図１４に示すコミュニケーションシステム１Ａの外観を示す斜視図、図１６は、図１４に示すコミュニケーションシステム１Ａの分解斜視図、図１７は、図１４に示すコミュニケーションシステム１が設けられる動線を第１拠点Ａ、第２拠点Ｂに示す図、図１８は、図１４に示すコミュニケーションシステム１が設けられる動線を第１拠点Ａ、第２拠点Ｂに示す図である。
【００９８】
［コミュニケーションシステムの構成］
図１４に示すコミュニケーションシステム１において、第１拠点Ａに設けられるコミュニケーションシステム１Ａは、図１４、図１５に示すように、撮像装置１０Ａ（１０Ａ１、１０Ａ２）と、集音装置１２Ａと、映像部と、音声装置１６Ａと、送信部２１Ａと、受信部２３Ａと、フレーム５０とを備える。以下、各構成についてそれぞれ説明する。なお、第２拠点Ｂに設けられるコミュニケーションシステム１Ｂは、同様の構成を備えているので、説明を省略する。
【００９９】
［フレーム］
図１４に示すコミュニケーションシステム１Ａは、図１４及び図１５に示すように、フレーム５０を備えている。このフレーム５０は、配置場所の平坦な床面ＦＡ上に設けられた複数の支柱５２（第１支柱５２ａ〜第４支柱５２ｄ）、本実施形態では４つの支柱と、この支柱５２の上部同士を連結するための梁部材５３（第１梁部材５３ａ〜第４梁部材５３ｄ）、本実施形態では４つの梁部材とから構成される。なお、フレーム５０は、支柱５２を床面ＦＡ上に載置して設けられると床面ＦＡに対する躯体工事が必要ないため好ましいが、床面ＦＡに対して固定して設けられてもよい。
【０１００】
図１４及び図１５に示すように、フレーム５０は支柱と梁とを組み合わせた軸組構造であり、フレーム５０を構成する支柱５２は、第１支柱５２ａ〜第４支柱５２ｄでなり、梁部材５３は、第１梁部材５３ａ〜第４梁部材５３ｄでなる。なお、支柱５２（第１支柱５２ａ〜第４支柱５２ｄ）の長さ、梁部材５３（第１梁部材５３ａ〜第４梁部材５３ｄ）の長さは、同一若しくは異なる長さを適宜選定することができる。なお、図１４及び図１５に示すフレーム５０の支柱５２及び梁部材５３は同じ長さで構成し、全体が立体形状で構成している。
【０１０１】
図１４に示すコミュニケーションシステム１Ａは、図１６に示すように、配置場所である平坦な床面ＦＡ上に、第１支柱５２ａ〜第４支柱５２ｄと第１梁部材５３ａ〜第４梁部材５３ｄとを連結して組み立てられる。
まず、第１支柱５２ａの上部と第２支柱５２ｂの上部との間に第１梁部材５３ａを連結、第２支柱５２ｂの上部と第３支柱５２ｃの上部との間に第２梁部材５３ｂを連結、第３支柱５２ｃの上部と第４支柱５２ｄの上部との間に第３梁部材５３ｃを連結、第４支柱５２ｄの上部と第１支柱５２ａの上部との間に第４梁部材５３ｄを順次連結して、枠体状のフレーム５０が形成される。また、例えば、第１支柱５２ａの下部と第２支柱５２ｂの下部との間や、第２支柱５２ｂの下部と第３支柱５２ｃの下部の間などにも、別のフレーム部材（図示せず）を連結してもよい。支柱５２（５２ａ〜５２ｄ）に対して梁部材５３（５３ａ〜５３ｄ）を直接的に連結させてもよく、または、取付部材としての連結部材５５（５５ａ〜５５ｄ）を介在させて連結しても良い。
【０１０２】
なお、図１４に示すフレーム５０を構成する支柱及び梁部材の個数及び寸法は特に限定されるものではない。例えば、第１支柱５２ａ〜第４支柱５２ｄは、コミュニケーションシステム１Ａの配置場所が屋内であれば、その配置場所における床から天井までの高さよりも低く設定するのが好適である。コミュニケーションシステム１Ａの配置・撤去が容易で、移動が容易であるからである。また、第１梁部材５３ａ〜第４梁部材５３ｄの長さは、コミュニケーションシステム１Ａの用途に応じて適宜設定すればよい。
【０１０３】
なお、図１５に示すように、本実施形態においては、フレーム５０は、平面視、第１梁部材５３ａ乃至第４梁部材５３ｄが略正方形の構成を例示したが、後述のように、映像表示部１５Ａや表示装置１４Ａを取付・固定できる構成であればよいため、この構成形態に限定されるものではなくまた、各梁部材も直線構成のものに限られず、湾曲させた構成であってもよく、その形状は特に限定されない。
【０１０４】
［映像部］
第２実施形態における映像部は、第２拠点Ｂにおいて撮像された映像を第１拠点Ａにおいて表示するための手段である。本実施形態においては、図１及び図９に示すように、図１に示すコミュニケーションシステム１Ａの映像部は、第２拠点Ｂにおいて撮像された映像（ＤＢ１及び／又はＤＢ２）を映写する表示装置１４Ａと、第２拠点Ｂにおいて撮像された映像（ＤＢ１及び／又はＤＢ２）が映し出される表示面である映像表示部１５Ａとから構成される例を説明する。一例として、表示装置１４Ａはプロジェクター、映像表示部１５Ａはスクリーンで構成されるが、これに限られるものではない。前記映像部として液晶ディスプレイなどのデジタル型ディスプレイを用いた場合、映像表示部１５Ａが液晶パネルなどの表示パネルに相当し、表示装置１４Ａが前記表示パネルを駆動する駆動回路に相当することになる。前記映像部としてデジタル型ディスプレイを用いた場合、重量が嵩むプロジェクターを用いる必要がなく、前記映像部の重量を軽減することができ、またこの場合には、プロジェクターを用いる必要がないため第４支柱５２ｄ、第３梁部材５３ｃ及び第４梁部材５３ｄを設けなくてもよい。
【０１０５】
本実施形態では、図１５に示すように、２台の表示装置１４Ａ１、１４Ａ２は、フレーム５０の第３梁部材５３ｃに設けられた第１表示装置１４Ａ１、第４梁部材５３ｄに設けられた第２表示装置１４Ａ２が設けられている。また、２つの映像表示部１５Ａ１、１５Ａ２は、フレーム５０の第１支柱５２ａと第２支柱５２ｂと第１梁部材５３ａとにより囲われる面（Ｘ−Ｚ面）に設けられた第１映像表示部１５Ａ１、第２支柱５２ｂと第３支柱５２ｃと第２梁部材５３ｂとにより囲われる面（Ｙ−Ｚ面）に設けられた第２映像表示部１５Ａ２が設けられている。なお、表示装置１４Ａ、映像表示部１５Ａは、本実施形態ではそれぞれ２つずつで構成しているが、これに限定されるものではなく、少なくとも１つずつ以上あれば、配置数は限定されるものではない。図１４に示すコミュニケーションシステム１において、表示装置１４Ａ及び映像表示部１５Ａは、第２拠点Ｂにおいて撮像された映像（ＤＢ１及び／又はＤＢ２）が第１拠点Ａで見ることができる構成であればよく、コミュニケーションシステム１の演出ができれば、表示装置１４Ａ、映像表示部１５Ａの数は限定されるものではないからである。
【０１０６】
また、本実施形態では、第１表示装置１４Ａ１は、第３梁部材５３ｃ、第２表示装置１４Ａ２は、第４梁部材５３ｄに設けられて高い位置から映像が映写される。したがって、フレーム５０の内部空間ＳＡで人の移動が行われても映写される映像が遮られることがなく、第１拠点Ａのコミュニケーションシステム１Ａと第２拠点Ｂのコミュニケーションシステム１Ｂとの空間と空間とが一体となってコミュニケーションが可能な空間が形成される。
【０１０７】
また、図１４に示すように、第２拠点Ｂのコミュニケーションシステム１Ｂのフレーム５０の内部空間ＳＢに立つ者が撮像装置１０Ｂにより撮像され、その映像（ＤＢ１、ＤＢ２）が第１拠点Ａのコミュニケーションシステム１Ａの映像表示部１５Ａに映写されるに際して、内部空間ＳＢに立つ者の映像が等身大に映写されることが可能なサイズで映像表示部１５Ａが構成されるのが好ましい。本実施形態に係るコミュニケーションシステム１は、第１拠点Ａと第２拠点Ｂとの異なる空間において、あたかも第１拠点Ａにいる者と第２拠点Ｂにいる者とが同じ空間にいるような演出をすることができ、双方向に臨場感のあるリアルタイムなコミュニケーションを実現するものであるから、第１拠点Ａと第２拠点Ｂとの異なる空間が恰も同じ空間となるように演出することができるからである。
【０１０８】
図１５に示すように、第１映像表示部１５Ａ１は、第１支柱５２ａと第２支柱５２ｂと第１梁部材５３ａとにより囲われるフレーム５０の一側面（Ｘ−Ｚ面）を覆うように設けられ、第２映像表示部１５Ａ２は、第２支柱５２ｂと第３支柱５２ｃと第２梁部材５３ｂとにより囲われるフレーム５０の一側面（Ｙ−Ｚ面）を覆うように設けられる。そのため、フレーム５０は、上記二側面が閉塞されている。したがって、第３支柱５２ｃと第４支柱５２ｄと第３梁部材５３ｃとにより囲われる側面、第４支柱５２ｄと第１支柱５２ａと第４梁部材５３ｄとにより囲われる側面、第１梁部材５３ａ〜第４梁部材５３ｄにより囲われる天面は解放されて、内部空間ＳＡが形成される。
【０１０９】
第１実施形態に係る図６に対応するように、本実施形態では、図１５に示すように、第１映像表示部１５Ａ１及び第２映像表示部１５Ａ２は、第２支柱５２ｂを基点として、全体として、平面視、角度αで折れ曲がった映像表示部（１５Ａ）を形成している。なお、角度αは、９０度となっているが、本実施形態に係るコミュニケーションシステム１を演出することができればよいので、角度αは適宜設定することができる。
【０１１０】
なお、第１映像表示部１５Ａ１が構成される面状部材の構成素材は特に限定されず、例えば、強度の高い板状部材（例えばスチール製、木製など）で構成する場合は、フレーム５０の第１梁部材５３ａを省略することができる。すなわち、第１支柱５２ａ及び第２支柱５２ｂと面状部材を構成する面状部材とを連結すればよい。同様に、第２映像表示部１５Ａ２が構成される面状部材を強度の高い素材で構成する場合は、フレーム５０の第２梁部材５３ｂを省略することができる。すなわち、第２支柱５２ｂ及び第３支柱５２ｃと面状部材とを連結すればよい。また、強度の高い素材で構成した第１映像表示部１５Ａ１が構成される面状部材と第２映像表示部１５Ａ２が構成される面状部材とを連結することで、第１支柱５２ａ、第２支柱５２ｂ、第３支柱５２ｃのいずれか又は総てを省略することができる。
【０１１１】
第１映像表示部１５Ａ１（及び／又は第２映像表示部１５Ａ２）がスクリーンに構成される場合、第１映像表示部１５Ａ１（及び／又は第２映像表示部１５Ａ２）の裏側からの光を通さずにクリアな映像を表示させるために、面状部材を透光性のない部材で構成する、又は、面状部材の裏側に透光性のない部材を併設する構成が好ましい。
【０１１２】
［撮像装置］
図１４及び図１５に示すように、コミュニケーションシステム１Ａは、フレーム５０で構成されている。このフレーム５０は、第３支柱５２ｃと第４支柱５２ｄと第３梁部材５３ｃにより囲われる側面、第４支柱５２ｄと第１支柱５２ａと第４梁部材５３ｄにより囲われる側面、第１梁部材５３ａ〜第４梁部材５３ｄにより囲われる天面が解放されており、第１撮像装置１０Ａ１及び第２撮像装置１０Ａ２は、光軸方向ＬＡ１、ＬＡ２方向に奥行きのある映像（ＤＡ１、ＤＡ２）を撮像して出力されるため、フレーム５０で形成される内部空間ＳＡのみならず、その外側空間まで撮像される。
したがって、図１９に示すように、内部空間ＳＡを移動する人のみならず、該内部空間ＳＡを越えて移動する人や空間も撮像するため、異なる空間が一体化される映像を撮像することができる。
【０１１３】
［集音装置］
集音装置１２Ａは、フレーム５０の内部空間ＳＡにおける音のみを集音できるように設定してもよい。
【０１１４】
［コミュニケーションシステムの組み立て］
コミュニケーションシステム１Ａ、１Ｂの組み立てについて、図１６を参照して、説明する。
第１拠点Ａにおいて、第１梁部材５３ａの両端に第１連結部材５５ａ及び第２連結部材５５ｂを連結させる。第２連結部材５５ｂに第２梁部材５３ｂの一端を連結し、第２梁部材５３ｂの他端に第３連結部材５５ｃを連結させる。第３連結部材５５ｃに第３梁部材５３ｃの一端を連結し、第３梁部材５３ｃの他端に第４連結部材５５ｄを連結させる。第４梁部材５３ｄの両端に、第１梁部材５３ａ及び第４連結部材５３ｄを連結させる。これにより、第１梁部材５３ａ〜第４梁部材５３ｄが第１連結部材５５ａ〜第４連結部材５５ｄによって枠体状に連結された状態となる。
【０１１５】
次に、枠体状に連結された第１梁部材５３ａ〜第４梁部材５３ｄを持ち上げた状態で、第１連結部材５５ａ〜第４連結部材５５ｄのそれぞれ下方に、第１支柱５２ａ〜第４支柱５２ｄを配置して、第１支柱５２ａの上端を第１連結部材５５ａの下端と連結し、第２支柱５２ｂの上端を第２連結部材５５ｂの下端と連結し、第３支柱５２ｃの上端を第３連結部材５５ｃの下端と連結し、第４支柱５２ｄの上端を第４連結部材５５ｄの下端と連結することにより、フレーム５０が形成される。
【０１１６】
次に、第１映像表示部１５Ａ１が構成される面状部材を第１梁部材５３ａに固定し、第２映像表示部１５Ａ２が構成される面状部材を第２梁部材５３ｂに固定する。このとき、第１映像表示部１５Ａ１と第２映像表示部１５Ａ２との間にできる限り隙間が生じないように固定されるのが好ましい。なお、第１映像表示部１５Ａ１が構成される面状部材を第１支柱５２ａ及び第２支柱５２ｂに固定し、第２映像表示部１５Ａ２が構成される面状部材を第２支柱５２ｂ及び第３支柱５２ｃに固定してもよい。
【０１１７】
また、第１表示装置１４Ａ１を、Ｘ−Ｚ面に沿って第３梁部材５３ｃに取付・固定し、第２表示装置１４Ａ２をＹ−Ｚ面に沿って第４梁部材５３ｄに取付・固定する。このとき、第３梁部材５３ｃにおける第１表示装置１４Ａ１の固定位置は、第１映像表示部１５Ａ１に対して映像を全面若しくはほぼ全面に映写可能な位置であればよい。第１表示装置１４Ａ１を第３梁部材５３ｃに載置するための設置器具を介して固定しても良い。第４梁部材５３ｄにおける第２表示装置１４Ａ２についても同様である。
【０１１８】
更に、表示装置１４Ａ（第１表示装置１４Ａ１及び第２表示装置１４Ａ２）の固定位置についてより詳しく説明する。表示装置１４Ａは、映像表示部１５Ａという映写可能な表示面を有効に使用して、第２拠点Ｂにおいて撮像された映像を映写するように設定する。すなわち、映像表示部１５Ａには、撮像装置１０Ｂが撮像した第２拠点Ｂの映像が、映像表示部１５Ａの下端まで表示される。また、映像表示部１５Ａには、撮像装置１０Ｂが撮像した第２拠点Ｂの映像が、映像表示部１５Ａの上端まで表示される。更には、映像表示部１５Ａには、撮像装置１０Ｂが撮像した第２拠点Ｂの映像が、映像表示部１５Ａの幅方向両端まで表示される。
【０１１９】
本実施形態においては、第１映像表示部１５Ａ１及び第２映像表示部１５Ａ２の大きさは、幅は梁部材５３、高さは支柱５２（及び連結部材５５を加えた高さ）に対応している。この大きさに対応するようにして、第２拠点Ｂにおいて撮像された映像（又は所定の映像処理が施された映像）を映写するように設定する。そのため、第１表示装置１４Ａ１は、その設置位置から前記映像を第１映像表示部１５Ａ１に対して映写したときに、映写された映像の幅方向両端が第１映像表示部１５Ａ１の幅方向両端と一致若しくは略一致するような映像映写角度θ１１で映写できる位置に取付・固定する。また、第１表示装置１４Ａ１は、その設置位置から前記映像を第１映像表示部１５Ａ１に対して映写したときに、映写された映像の高さ方向両端が第１映像表示部１５Ａ１の高さ方向両端と一致若しくは略一致するような映像映写角度θ１２で映写できる位置ＣＨ１に固定する。位置ＣＷ１は、第１表示装置１４Ａ１からの映像の映写が左右均等になるように、平面視、映像映写角度θ１１の中心線が第１映像表示部１５Ａ１と直角をなすように、第３梁部材５３ｃの中央部となっている。また、第１表示装置１４Ａ１の高さ方向の位置ＣＨ１は、第３梁部材５３ｃの上面（ＣＷ１に対応する位置）に設置する。第１表示装置１４Ａ１は、第１映像表示部１５Ａ１の中心よりも上側の位置から前記映像を映写することになるため、位置ＣＨ１を通る水平方向（一点鎖線で図示）に対して下向きの映像映写角度で映写できるように固定する。このようにして、位置ＣＷ１、ＣＨ１、角度θ１１、θ１２、を決めて、第１表示装置１４Ａ１を設置する。第２表示装置１４Ａ２についても、第１表示装置１４Ａ１の映像映写角度θ１１と同様にして映像映写角度θ２１で映写できるように取付・固定し、更に映像映写角度θ１２と同様に、所定の映像映写角度で映写できるような位置に固定する。
【０１２０】
また、第１カメラレンズ１１Ａ１は、第３梁部材５３ｃや第１表示装置１４Ａ１が映り込まないように画角を調節すると、これらが第２拠点Ｂで映写される映像に表示されなくなり、臨場感・リアリティのある映像を第２拠点Ｂへ提供できるようになる。第２カメラレンズ１１Ａ２も、第４梁部材５３ｄや第２表示装置１４Ａ２が映り込まないように調節する。
【０１２１】
また、内部空間ＳＡのうち、第３梁部材５３ｃ又は第４梁部材５３ｄ近傍に立つ被写体の足及びその周囲の床面ＦＡが撮像できるように、第１カメラレンズ１１Ａ１、第２カメラレンズ１１Ａ２の画角を調整する。第３梁部材５３ｃ又は第４梁部材５３ｄ近傍に立つ被写体の足及びその周囲の床面ＦＡが撮像されることによって、空間の連続性が生まれて臨場感・リアリティのある映像を提供することができる。
【０１２２】
なお、第１カメラレンズ１１Ａ１、第２カメラレンズ１１Ａ２は、第１カメラレンズ１１Ａ１の光軸ＬＡ１及び第２カメラレンズ１１Ａ２の光軸ＬＡ２がそれぞれ水平になるように配置する場合を説明したが、第３梁部材５３ｃや第１表示装置１４Ａ１、第４梁部材５３ｄや第２表示装置１４Ａ２が映り込まず、かつ、内部空間ＳＡにおける床面ＦＡの一部が映り込むように、第１カメラレンズ１１Ａ１の光軸ＬＡ１及び第２カメラレンズ１１Ａ２の光軸ＬＡ２がそれぞれ下向きになるようにして配置してもよい。
【０１２３】
集音装置１２Ａの配置場所は特に限定されないが、主としてフレーム５０の内部空間ＳＡにおける音を集音することができる位置に適宜配置すればよい。
【０１２４】
音声装置１６Ａの配置場所は特に限定されないが、第２拠点において集音された音（ＶＢ）をフレーム５０の内部空間ＳＡにおいて前記音を明瞭に聞き取ることができる位置に適宜配置すればよい。
【０１２５】
以上のようにして、第１拠点Ａにおいてコミュニケーションシステム１Ａが組み立てられる。同様にして、第２拠点Ｂにおいてもコミュニケーションシステム１Ｂを組み立てればよい。第１拠点Ａにおいて組み立てたコミュニケーションシステム１Ａを図１７（ａ）に示すように、第１拠点Ａの右下角部の床面ＦＡ上に設定された動線ＴＡに沿って設置すると、そのコミュニケーションシステム１Ａには、恰も点線で示すように第２拠点Ｂの空間が広がるような映像が表示されることになる。同様に、図１７（ｂ）に示すように、第２拠点Ｂにおいて組み立てたコミュニケーションシステム１Ｂを、第２拠点Ｂの右上角部の床面ＦＢ上に設定された動線ＴＢに沿って設置すると、そのコミュニケーションシステム１Ｂには、恰も点線で示すように第１拠点Ａの空間が広がるような映像が表示されることになる。
また、第１拠点Ａにおいて組み立てたコミュニケーションシステム１Ａを図１８（ａ）に示すように、第１拠点Ａの中央部の床面ＦＡ上に設定された動線ＴＡに沿って設置すると、そのコミュニケーションシステム１Ａには、恰も点線で示すように第２拠点Ｂの空間が広がるような映像が表示されることになる。同様に、図１８（ｂ）に示すように、第２拠点Ｂにおいて組み立てたコミュニケーションシステム１Ｂを、第２拠点Ｂの中央部の床面ＦＢ上に設定された動線ＴＢに沿って設置すると、そのコミュニケーションシステム１Ｂには、恰も点線で示すように第１拠点Ａの空間が広がるような映像が表示されることになる。
【０１２６】
［コミュニケーションシステムの配置場所］
第１拠点Ａにおけるコミュニケーションシステム１Ａの配置場所、及び、第２拠点Ｂにおけるコミュニケーションシステム１Ｂの配置場所は、コミュニケーションシステム１の用途に応じて適宜配置すればよい。
【０１２７】
例えば、第１拠点Ａ及び第２拠点Ｂがそれぞれ会社のオフィスであって、第１拠点Ａにいる社員と第２拠点Ｂにいる社員との間でのコミュニケーションを図りやすくするために、各オフィスのうち人の往来が多い動線（移動線）に沿ってコミュニケーションシステム１Ａ及び／又はコミュニケーションシステム１Ｂを配置する。このような配置場所を採択することによって、会議のような予定を合わせていなくても、偶然に通り過ぎる者との間でさえも自然にお互いの拠点からコミュニケーションをする（声をかける）ことや、相手方拠点における立ち話を見つけて他拠点からそのコミュニケーションに参加すること等を実現し、コミュニケーションの相手が同じ拠点（すぐ隣、目の前）にいるかのような距離感でのコミュニケーションを実現させることができる。
【０１２８】
［変形例２］
第２実施形態における変形例２は、第１実施形態における変形例２に対応するものであって、図１２を用いて説明する。第１カメラレンズ１１Ａ１及び第２カメラレンズ１１Ａ２の画角に関しては、上記実施形態において説明したように、第１カメラレンズ１１Ａ１は、第３梁部材５３ｃや第１表示装置１４Ａ１が映り込まない画角とし、第２カメラレンズ１１Ａ２も第４梁部材５３ｄや第２表示装置１４Ａ２が映り込まない画角とするとともに、上記変形例１において説明したように、第１カメラレンズ１１Ａ１の画角の端部と、第２カメラレンズ１１Ａ２の画角の端部とが境界線Ｌで一致する画角としてもよい。
【０１２９】
［変形例３］
上記実施形態においては、図１４に示すように、フレーム５０は、平面視、正方形である軸組構造の例を説明したが、コミュニケーションシステム１の配置場所、用途等に応じて、支柱５２、梁部材５３及び面状部材の形状、個数、配置を適宜変更してもよく、以下、図１９を参照してその変形例を説明する。図１９は、第２実施形態に係るコミュニケーションシステム１の軸組構造の変形例を示す平面から見た模式図である。
【０１３０】
図１９（ａ）に示すように、４本の第１梁部材５３ａ乃至第４梁部材５３ｄを、平面視、菱形に組み立てた軸組構造としてもよい。上述した実施形態のように、映像表示部１５Ａ１、１５Ａ２のなす角度αが９０度でなくても、映像表示部１５Ａに表示される映像を視覚する視覚者の視野角を覆うように、映像表示部１５Ａを構成すれば、映像表示部１５Ａに表示される映像に対して没入感を得ることができるからである。
【０１３１】
図１９（ｂ）に示すように、第１梁部材５３ａ乃至第４梁部材５３ｄのうち、第３梁部材５３ｃと第４梁部材５３ｄとが直線をなすように組み立て、４本の第１梁部材５３ａ乃至第４梁部材５３ｄを、平面視、三角形状に組み立てた軸組構造としてもよい。第１表示装置１４Ａ１を第３梁部材５３ｃに、第２表示装置１４Ａ２を第４梁部材５３ｄに設置するようにするか、又は、面状部材としてデジタル型ディスプレイを用いた場合にはプロジェクター（表示装置１４Ａ１、１４Ａ２）を第３梁部材５３ｃ及び第４梁部材５３ｄに設けなくてもよい。これにより、コミュニケーションシステム１の配置面積を縮小することができる。
【０１３２】
図１９（ｃ）に示すように、第４支柱５２ｄ及び第４梁部材５３ｄを省略し、３本の第１支柱５２ａ〜第３支柱５２ｃ、及び、３本の第１梁部材５３ａ乃至第３梁部材５３ｃを用いて、平面視、三角形状に組み立てた軸組構造としてもよい。この場合、第１表示装置１４Ａ１及び第２表示装置１４Ａ２をともに第３梁部材５３ｃに設置するようにするか、又は、面状部材としてデジタル型ディスプレイを用いた場合にはプロジェクター（表示装置１４Ａ１、１４Ａ２）を第３梁部材５３ｃ及び第４梁部材５３ｄに設けなくてもよい。このように構成すれば、第４支柱５２ｄ及び第４梁部材５３ｄが不要になり、コミュニケーションシステム１の配置面積の縮小化と同時に、部品点数を抑えてコストの低減を図ることもできる。
【０１３３】
図１９（ｄ）に示すように、第１梁部材５３ａ及び第２梁部材５３ｂとして曲線部材を用いて、平面視、扇形状に組み立てられた軸組構造としてもよい。映像表示部１５Ａ（１５Ａ１、１５Ａ２）が曲面で構成され、映像表示部１５Ａ（１５Ａ１、１５Ａ２）が、映像表示部１５Ａに表示される映像を視覚する視覚者の左右の視野角を覆うように配置されていることにより、視覚者は没入感を得ることができる。
【０１３４】
図１９（ｅ）に示すように、６本の支柱５２及び６本の梁部材５３を用いて、平面視、六角形状に組み立てられた軸組構造としてもよい。平面視、六角形状のフレーム５０（角度α：一例としては１２０度）を形成し、３台の表示装置１４Ａ（１４Ａ１、１４Ａ２、１４Ａ３）から映写される映像を、３面の映像表示部１５Ａ（１５Ａ１、１５Ａ２、１５Ａ３）に表示するように構成してもよい。連接した３面の映像表示部１５Ａを設けることで、映像表示部１５Ａに表示される映像を視覚する視覚者の左右の視野角をさらに覆うことができるので、視覚者は広範囲の映像に対して没入感を得ることができる。平面視、六角形状のフレーム５０を説明したが、平面視、五角形状その他の多角形状のフレームを形成してもよい。
【０１３５】
また、図１９（ｆ）に示すように、上述の実施形態において説明したフレーム５０を用いて、オフィス等の第１拠点Ａの壁面ＷＡの一部を映像表示部１５Ａ１とし、表示装置１４Ｂが直接壁面ＷＡに映像を映写する例である。映像表示部１５Ａ２が構成される面状部材を壁面ＷＡと隣接して設置することで、上述の実施形態のコミュニケーションシステム１（１Ａ、１Ｂ）と同様の臨場感・リアリティ・没入感のある映像を提供できると同時に、部品点数を抑えてコストの低減を図ることもできる。
【０１３６】
［その他の変形例］
上記の実施形態においては、第１拠点Ａに配置されるコミュニケーションシステム１Ａと第２拠点Ｂに配置されるコミュニケーションシステム１Ｂとが同一構成の場合を説明したが、コミュニケーションシステム１Ａを配置する第１拠点Ａの環境と、コミュニケーションシステム１Ｂを配置する第２拠点Ｂの環境とが異なることもあるため、配置場所や用途等の条件によってコミュニケーションシステム１Ａとコミュニケーションシステム１Ｂとを異なる構成としてもよい。
例えば、第１拠点Ａに配置されるコミュニケーションシステム１Ａにおいては、表示装置１４Ａ（１４Ａ１、１４Ａ２）が映像表示部１５Ａ（１５Ａ１、１５Ａ２）に対して、第２拠点Ｂに配置された撮像装置１０Ｂ（１０Ｂ１、１０Ｂ２）が撮像した映像を映写し、第２拠点Ｂに配置された集音装置１２Ｂが集音した音を音声装置１６Ａが発することが可能な構成であれば、第２拠点Ｂの内部空間ＳＢの臨場感をリアルタイムに体験することができる。したがって、コミュニケーションシステム１Ｂは、少なくとも第２拠点Ｂの内部空間ＳＢの映像、音を送信可能な構成（撮像装置１０Ｂ（撮像装置１０Ｂ１、１０Ｂ２）及び集音装置１２Ｂ）を有していればよい。
また、カメラレンズ１１Ａ１、１１Ａ２とカメラレンズ１１Ｂ１、１１Ｂ２とで画角の異なるカメラレンズを使用してもよいし、映像表示部１５Ａ（１５Ａ１、１５Ａ２）と映像表示部１５Ｂ（１５Ｂ１、１５Ｂ２）とで大きさが異なる構成を採用したり、第１映像表示部１５Ａ１及び第２映像表示部１５Ａ２がなす角度αと、第１映像表示部１５Ｂ１及び第２映像表示部１５Ｂ２がなす角度（図示せず）とで異なる構成を採用してもよく、コミュニケーションシステム１Ａの第１支柱５２ａ〜第４支柱５２ｄと、コミュニケーションシステム１Ｂの第１支柱５２ａ〜第４支柱５２ｄとで異なる長さで構成してもよい。
【０１３７】
本発明は、その本質的特性から逸脱することなく数多くの形式のものとして具体化することができる。よって、上述した実施形態は専ら説明上のものであり、本発明を制限するものではないことは言うまでもない。
【符号の説明】
【０１３８】
１      コミュニケーションシステム
１Ａ    コミュニケーションシステム
１Ｂ    コミュニケーションシステム
２  パネル（面状部材）
２Ａ  パネル面
３  パネル（面状部材）
３Ａ  パネル面
４  パネル（面状部材）
５  パネル（面状部材）
６ａ  部署
６ｂ  部署
６ｃ  部署
６ｄ  部署
７  机
８  椅子
９  什器
１０Ａ  撮像装置
１０Ａ１  第１撮像装置
１０Ａ２  第２撮像装置
１０Ｂ  撮像装置
１０Ｂ１  第１撮像装置
１０Ｂ２  第２撮像装置
１１Ａ  カメラレンズ
１１Ａ１  第１カメラレンズ
１１Ａ２  第２カメラレンズ
１１Ｂ  カメラレンズ
１１Ｂ１  第１カメラレンズ
１１Ｂ２  第２カメラレンズ
１２Ａ  集音装置
１２Ｂ  集音装置
１４Ａ  表示装置
１４Ａ１  第１表示装置
１４Ａ２  第２表示装置
１４Ｂ  表示装置
１４Ｂ１  第１表示装置
１４Ｂ２  第２表示装置
１５Ａ  映像表示部
１５Ａ１  第１映像表示部
１５Ａ２  第２映像表示部
１５Ｂ   映像表示部
１５Ｂ１  第１映像表示部
１５Ｂ２  第２映像表示部
１６Ａ  音声装置
１６Ｂ  音声装置
２０    通信ネットワーク
２１Ａ  送信部
２１Ｂ  送信部
２３Ａ  受信部
２３Ｂ  受信部
５０    フレーム
５２    支柱
５２ａ〜５２ｄ    第１支柱〜第４支柱
５３      梁部材
５３ａ〜５３ｄ    第１梁部材〜第４梁部材
Ａ        第１拠点
Ｂ        第２拠点
ＣＡ      天井
ＣＢ      天井
ＦＡ      床面
ＦＢ      床面
Ｎ        人
ＳＡ      角部、内部空間
ＳＢ      角部、内部空間
ＴＡ      動線
ＴＢ      動線
ＷＡ      壁面
ＷＢ      壁面
【図１】
0006534204.tif 000002
【図２】
0006534204.tif 000003
【図３】
0006534204.tif 000004
【図４】
0006534204.tif 000005
【図５】
0006534204.tif 000006
【図６】
0006534204.tif 000007
【図７】
0006534204.tif 000008
【図８】
0006534204.tif 000009
【図９】
0006534204.tif 000010
【図１０】
0006534204.tif 000011
【図１１】
0006534204.tif 000012
【図１２】
0006534204.tif 000013
【図１３】
0006534204.tif 000014
【図１４】
0006534204.tif 000015
【図１５】
0006534204.tif 000016
【図１６】
0006534204.tif 000017
【図１７】
0006534204.tif 000018
【図１８】
0006534204.tif 000019
【図１９】
0006534204.tif 000020